(57)【要約】【課題】通信時に送信／受信した情報信号のトラフィック量を接続経路ごとに管理する。【解決手段】通信装置400Aは第１の仮想ネットワークに属している。通信装置400AとルータR100との間には第２の仮想ネットワークが構築されている。通信装置400Aは、通信装置400Bとの間で通信するときには第１の仮想ネットワークを利用し、通信網Ｂを介して通信するときには第２の仮想ネットワークを利用する。ルータR100は、第２の仮想ネットワークを介して通信装置400Aから受信した情報信号を通信網Ｂへ送信し、通信網Ｂから受信した情報信号を第２の仮想ネットワークを介して通信装置400Aへ送信する。収容スイッチ500-Aは通信装置400Aが送信／受信したトラフィック量を記録する。収容スイッチ500-1は、ルータR100が通信装置400Aとの間で第２の仮想ネットワークを介して送信／受信したトラフィック量を記録する。【選択図】図１
2006311527.tif 000002
【特許請求の範囲】
【請求項１】
通信網Ａと通信網Ｂとの間に物理的に接続されて情報信号を中継するルータ装置と、
前記通信網Ａに物理的に接続されて情報信号を送信／受信し、且つ、前記通信網Ａに構築された第１の仮想ネットワークに属するとともに、前記通信網Ａにおいて各々と前記ルータ装置との間に第２の仮想ネットワークが構築された複数の通信装置と、
前記複数の通信装置の各々が送信／受信した情報信号のトラフィック量を当該通信装置の第１トラフィック量として記録する第１の記録部と、
前記ルータ装置と前記複数の通信装置の各々との間において、前記ルータ装置が当該通信装置との間に構築された第２の仮想ネットワークを介して送信／受信した情報信号のトラフィック量を当該通信装置の第２トラフィック量として記録する第２の記録部と、
前記第１の記録部によって前記通信装置毎に記録された第１トラフィック量と前記第２の記録部によって前記通信装置毎に記録された第２トラフィック量とを取得するサーバ装置とを備え、
前記複数の通信装置の各々は、
前記通信網Ａに接続された他の通信装置との間で通信するときには、前記第１の仮想ネットワークを介して情報信号を送信／受信し、
前記通信網Ｂとの間で通信するときには、当該通信装置が属する第２の仮想ネットワークを介して情報信号を送信／受信し、
前記ルータ装置は、
前記複数の通信装置の各々との間に構築された第２の仮想ネットワークを介して当該通信装置からの情報信号を受信すると、当該情報信号を前記通信網Ｂへ送信し、
前記複数の通信装置のうちいずれかに送信すべき情報信号を前記通信網Ｂから受信すると、当該通信装置が属する第２の仮想ネットワークを介して当該情報信号を送信する
ことを特徴とする通信システム。
【請求項２】
請求項１において、
前記ルータ装置には、各々が前記通信網Ａに物理的に接続され、且つ、前記複数の通信装置に対応し当該対応する通信装置と同一の第２の仮想ネットワークに属する複数の物理ポートが設けられ、
前記複数の通信装置の各々は、
当該通信装置が属する第２の仮想ネットワークを介して情報信号を送信するときには、当該第２の仮想ネットワークに属する物理ポートへ当該情報信号を送信し、
前記ルータ装置は、
前記複数の通信装置のうちいずれかに送信すべき情報信号を前記通信網Ｂから受信すると、当該通信装置と同一の第２の仮想ネットワークに属する物理ポートを介して情報信号を送信し、
前記第２の記録部は、
前記複数の物理ポートの各々において当該物理ポートを介して中継された情報信号のトラフィック量を、当該物理ポートと同一の第２の仮想ネットワークに属する通信装置の第２トラフィック量として記録する
ことを特徴とする通信システム。
【請求項３】
請求項２において、
前記複数の通信装置の各々には、前記当該通信装置が属する第１の仮想ネットワークに対応するネットワークアドレスを有する第１のＩＰアドレスと、当該通信装置が属する第２の仮想ネットワークに対応するネットワークアドレスを有する第２のＩＰアドレスとが設定されており、
前記ルータ装置の複数の物理ポートの各々には、当該物理ポートが属する第２の仮想ネットワークに対応するネットワークアドレスを有する第３のＩＰアドレスが設定されており、
前記複数の物理ポートの各々に設定された第３のＩＰアドレスは、当該物理ポートと同一の第２の仮想ネットワークに属する通信装置に設定された第２のＩＰアドレスとネットワークアドレス部分が互いに一致する
ことを特徴とする通信システム。
【請求項４】
請求項３において、
前記複数の通信装置の各々は、
前記通信網Ａに接続された他の通信装置との間で通信するときには、当該他の通信装置に設定された第１のＩＰアドレスへ向けて情報信号を送信し、
前記通信網Ｂへ情報信号を送信するときには、当該通信装置と同一の第２の仮想ネットワークに属する物理ポートに設定された第３のＩＰアドレスへ向けて情報信号を送信し、
前記ルータ装置は、
前記複数の通信装置の各々との間に構築された第２の仮想ネットワークを介して当該通信装置から情報信号が送信されると、当該通信装置によって指定された第３のＩＰアドレスが設定されている物理ポートに当該情報信号を受信して、当該受信した情報信号を前記通信網Ｂへ送信し、
前記複数の通信装置のうちいずれかに送信すべき情報信号を前記通信網Ｂから受信すると、当該情報信号の宛先アドレスを参照して当該情報信号を送信すべき通信装置に設定された第２のＩＰアドレスを選択し、当該選択された第２のＩＰアドレスと同一のネットワークアドレスを有する第３のＩＰアドレスが設定された物理ポートを介して当該情報信号を当該選択された第２のＩＰアドレスへ向けて送信する
ことを特徴とする通信システム。
【請求項５】
請求項４において、
前記ルータ装置には、前記複数の第２の仮想ネットワークの各々に対応するネットワークアドレスと当該第２の仮想ネットワークに属する通信装置に設定された第２のＩＰアドレスとが対応付けられたルーティングテーブルが格納されており、
前記ルータ装置は、
前記複数の通信装置のうちいずれかに送信すべき情報信号を前記通信網Ｂから受信すると、前記ルーティングテーブルの中から当該情報信号の宛先アドレスに対応するネットワークアドレスを検索し、検出されたネットワークアドレスに対応付けられた第２のＩＰアドレスを選択する
ことを特徴とする通信システム。
【請求項６】
請求項４において、
前記複数の通信装置の各々は、
前記通信網Ａに接続された他の通信装置との間で通信するときには、当該通信装置に設定された第１のＩＰアドレスを、情報信号の送信元アドレスとして使用し、
前記通信網Ｂへ情報信号を送信するときには、当該通信装置に設定された第２のＩＰアドレスを、情報信号の送信元アドレスとして使用する
ことを特徴とする通信システム。
【請求項７】
請求項４において、
各々に所定識別子が設定されており、且つ、前記複数の通信装置に対応し当該対応する通信装置と前記通信網Ａとの間に物理的に接続された複数の第１収容スイッチと、
前記所定識別子が設定されており、且つ、前記ルータ装置と前記通信網Ａとの間に物理的に接続された第２収容スイッチとをさらに備え、
複数の第１収容スイッチの各々は、
当該第１収容スイッチに対応する通信装置から前記通信網Ａへ情報信号を中継するときには、当該情報信号に前記所定識別子を示す拡張タグを付加し、
前記通信網Ａから当該第１収容スイッチに対応する通信装置へ情報信号を中継するときには、当該情報信号に付加された拡張タグの識別子を参照して、当該情報信号の中継の要否を判断し、
前記第２収容スイッチは、
前記通信網Ａから前記ルータ装置へ情報信号を中継するときには、当該情報信号に付加された拡張タグの識別子を参照して、当該情報信号の中継の要否を判断し、
前記ルータ装置から前記通信網Ａへ情報信号を中継するときには、当該情報信号に前記所定識別子を示す拡張タグを付加する
ことを特徴とする通信システム。
【請求項８】
請求項５において、
前記複数の通信装置の各々には、前記複数の通信装置の各々の間で互いに一致する識別子である共通識別子と、前記複数の通信装置の各々の間で互いに異なる識別子である個別識別子とが設定されており、
前記ルータ装置は、前記複数の通信装置の各々に設定された個別識別子を記憶しており、
前記複数の通信装置の各々は、さらに、
前記通信網Ａに接続された他の通信装置との間で通信するときには、当該通信装置に設定された共通識別子を示すユーザタグを当該情報信号に付加し、
前記通信網Ｂへ情報信号を送信するときには、当該通信装置に設定された個別識別子を示すユーザタグを当該情報信号に付加し、
前記ルータ装置は、さらに、
前記複数の通信装置の各々との間に構築された第２の仮想ネットワークを介して当該通信装置から情報信号が送信されると、当該通信装置によって指定された第３のＩＰアドレスが設定されている物理ポートに受信して、当該情報信号に付加されたユーザタグが示す識別子を参照して当該情報信号の中継の要否を判断し、
前記複数の通信装置のうちいずれかに送信すべき情報信号を前記通信網Ｂから受信すると、当該情報信号の宛先アドレスを参照して当該情報信号を送信すべき通信装置に設定された個別識別子を示すユーザタグを当該情報信号に付加する
ことを特徴とする通信システム。
【請求項９】
請求項８において、
前記ルータ装置には、さらに、前記複数の通信装置の各々に設定された第２のＩＰアドレスと当該通信装置に設定された個別識別子とが対応付けられた識別子対応テーブルが格納されており、
前記ルータ装置は、
前記複数の通信装置のうちいずれかに送信すべき情報信号を前記通信網Ｂから受信すると、前記ルーティングテーブルの中から選択された第２のＩＰアドレスに対応する個別識別子を前記識別子対応テーブルの中から選択し、当該選択された個別識別子を示すユーザタグを当該情報信号に付加する
ことを特徴とする通信システム。
【請求項１０】
請求項１において、
前記複数の通信装置の各々には、前記複数の通信装置の各々の間で互いに一致する識別子である共通識別子と、前記複数の通信装置の各々の間で互いに異なる識別子である個別識別子とが設定されており、
前記ルータ装置は、前記複数の通信装置の各々に設定された個別識別子を記憶しており、
前記複数の通信装置の各々は、さらに、
前記通信網Ａに接続された他の通信装置との間で通信するときには、当該通信装置に設定された共通識別子を示すユーザタグを当該情報信号に付加し、
前記通信網Ｂとの間で通信するときには、当該通信装置に設定された個別識別子を示すユーザタグを当該情報信号に付加し、
前記ルータ装置は、さらに、
前記複数の通信装置の各々との間に構築された第２の仮想ネットワークを介して当該通信装置からの情報信号を受信すると、当該情報信号に付加されたユーザタグが示す識別子を参照して当該情報信号の中継の要否を判断し、
前記複数の通信装置のうちいずれかに送信すべき情報信号を前記通信網Ｂから受信すると、当該通信装置の宛先アドレスを参照して当該情報信号を送信すべき通信装置に設定された個別識別子を示すユーザタグを当該情報信号に付加し、
前記第２の記録部は、
前記ルータ装置と前記複数の通信装置の各々との間において、前記ルータ装置が当該通信装置との間に構築された第２の仮想ネットワークを介して送信／受信した情報信号のうち個別識別子を示すユーザタグが付加された情報信号のトラフィック量を、当該個別識別子が設定された通信装置の第２トラフィック量として記録する
ことを特徴とする通信システム。
【請求項１１】
請求項１０において、
前記複数の通信装置の各々には、前記第１の仮想ネットワークに対応するネットワークアドレスを有する第１のＩＰアドレスと、当該通信装置が属する第２の仮想ネットワークに対応するネットワークアドレスを有する第２のＩＰアドレスとが設定されており、
前記ルータ装置には、前記複数の第２の仮想ネットワークに対応し且つ当該対応する第２の仮想ネットワークに対応するネットワークアドレスを有する複数の第３のＩＰアドレスが設定されており、
前記ルータ装置に設定された複数の第３のＩＰアドレスの各々は、当該第３のＩＰアドレスに対応する第２の仮想ネットワークに属する通信装置に設定された第２のＩＰアドレスとネットワークアドレス部分が互いに一致する
ことを特徴とする通信システム。
【請求項１２】
請求項１１において、
前記通信網Ａは、前記複数の通信装置に対応し且つ当該対応する通信装置と前記ルータ装置とを物理的に接続する複数の通信回線を含み、
前記複数の通信装置の各々は、
当該通信装置が接続された通信回線とは異なる通信回線に接続された他の通信装置との間で通信するときには、当該通信装置に設定された共通識別子を示すユーザタグが付加された情報信号を当該他の通信装置に設定された第１のＩＰアドレスへ向けて送信し、
前記通信網Ｂへ情報信号を送信するときには、当該通信装置に設定された個別識別子を示すユーザタグが付加された情報信号を当該通信装置が属する第２の仮想ネットワークに対応する第３のＩＰアドレスへ向けて送信し、
前記ルータ装置は、
前記複数の通信回線を介して当該通信回線に接続された通信装置からの情報信号を受信すると、当該情報信号に付加されたユーザタグが個別識別子を示す場合には当該情報信号を通信網Ｂへ送信し、
前記複数の通信装置のうちいずれかに送信すべき情報信号を前記通信網Ｂから受信すると、当該情報信号の宛先アドレスを参照して当該情報信号を送信すべき通信装置に設定された第２のＩＰアドレスを選択し、当該情報信号を送信すべき通信装置に設定された個別識別子を示すユーザタグを当該情報信号に付加して、当該ユーザタグを付加した情報信号を当該情報信号を送信すべき通信装置が接続された通信回線を介して当該選択された第２のＩＰアドレスへ向けて送信し、
前記第１の記録部は、前記複数の通信回線の各々において当該通信回線を介して送信／受信された情報信号のトラフィック量を、当該通信回線に接続された通信装置の第１トラフィック量として記録する
ことを特徴とする通信システム。
【請求項１３】
請求項１２において、
前記ルータ装置には、前記複数の第２の仮想ネットワークの各々に対応するネットワークアドレスと当該第２の仮想ネットワークに属する通信装置に設定された第２のＩＰアドレスとが対応付けられたルーティングテーブルが格納されており、
前記ルータ装置は、
前記複数の通信装置のうちいずれかに送信すべき情報信号を前記通信網Ｂから受信すると、前記ルーティングテーブルの中から当該情報信号の宛先アドレスに対応するネットワークアドレスを検索し、検出されたネットワークアドレスに対応付けられた第２のＩＰアドレスを選択する
ことを特徴とする通信システム。
【請求項１４】
請求項１３において、
前記ルータ装置には、さらに、前記複数の通信装置の各々に設定された第２のＩＰアドレスと当該通信装置に設定された個別識別子とが対応付けられた識別子対応テーブルと、前記複数の通信装置の各々に設定された個別識別子と当該通信装置が接続される通信回線とが対応付けられた通信回線対応テーブルとが格納されており、
前記ルータ装置は、
前記複数の通信装置のうちいずれかに送信すべき情報信号を前記通信網Ｂから受信すると、前記ルーティングテーブルの中から選択された第２のＩＰアドレスに対応する個別識別子を前記識別子対応テーブルの中から選択して当該選択されたユーザ識別子を示すユーザタグを当該情報信号に付加するとともに、当該選択された個別識別子に対応する通信回線を前記通信回線対応テーブルの中から選択し、当該ユーザタグが付加された情報信号を当該選択された通信回線を介して送信する
ことを特徴とする通信システム。
【請求項１５】
請求項１から請求項１４のうちいずれか１つにおいて、
前記サーバ装置は、前記複数の通信装置のうちいずれか１つの通信料金を算出するときに、前記第２の記録部によって記憶された当該通信装置の第２トラフィック量に対して第１従量料金を乗じて第１通信料金を算出するとともに、前記第１の記録部によって記録された当該通信装置の第１トラフィック量から当該通信装置の第２トラフィック量を減算して算出される第３トラフィック量に対して前記第１従量料金よりも安い第２従量料金を乗じて第２の通信料金を算出する
ことを特徴とする通信システム。
【請求項１６】
請求項１５において、
前記通信網Ｂと前記通信網Ｂとは異なる通信網Ｃとの間に接続される外部接続用ルータをさらに備え、
前記第１従量料金は、前記通信網Ｂおよび通信網Ｃを利用する通信に対して科せられる料金であり、
前記第２従量料金は、前記通信網Ａのみを利用する通信に対して科せられる料金である
ことを特徴とする通信システム。
【発明の詳細な説明】
【技術分野】
【０００１】
この発明は、通信システムに関する。
【背景技術】
【０００２】
通信サービス業者（ＩＳＰ（Internet Service Provider））が提供する通信サービスに加入している顧客は、その通信サービス業者の通信網を利用して、データ交換やコンテンツ配給などの通信を行う。
【０００３】
従来の通信システムの構成を図３３に示す。この通信システムでは、サーバ８００，顧客通信装置９００Ａ，９００Ｂ，９００Ｃの各々は、通信網（例えば、ＩＳＰ網）ＬISPに接続される。外部通信装置６００は、通信網（例えば、インターネット網）ＬNETに接続される。通信網ＬISPは、ルータＲ２００を介して、通信網ＬNETに接続される。顧客通信装置９００Ａ，９００Ｂ，９００Ｃの各々は、情報信号（各装置間で通信を行うためにやりとりする信号）の作成／識別，情報信号の送信／受信を行う。顧客通信装置９００Ａ，９００Ｂ，９００Ｃは，それぞれ，収容スイッチ７００Ａ，７００Ｂ，７００Ｃと接続している。収容スイッチ７００Ａ，７００Ｂ，７００Ｃの各々は、対応する顧客通信装置が送信／受信した情報信号のトラフィック量を記憶する。サーバ８００は、収容スイッチ７００Ａ，７００Ｂ，７００Ｃの各々が記憶するトラフィック量を取得して、顧客Ａ，Ｂ，Ｃの各々に対して請求する通信料金請求書を作成する。例えば、サーバ８００は、収容スイッチ７００Ａが記憶するトラフィック量を取得して、（式Ａ）のように、その取得したトラフィック量に所定の従量料金を乗じることによって顧客Ａに対して請求する通信利用料金を算出する。
【０００４】
「通信料金」＝「トラフィック量」×「単位通信量当たりの通信料金」・・（式Ａ）
通信サービス業者は、図３３のように自前の通信網（図３３では通信網ＬISP）とは別の上位通信網（図３３では通信網ＬNET）にも加入者がアクセスすることができるサービスを提供する場合、その上位通信網を提供している別の通信サービス業者に調達料金を支払うことによってその上位通信網へのアクセスの許諾を受ける。そのため、顧客Ａ，Ｂ，Ｃの各々が請求される通信料金には、通信網管理業者が上位通信網管理業者に支払う調達費用が上乗せされることになる。
【特許文献１】特開２００３−２８９３３０号公報
【特許文献２】特開２００５−２６８９７号公報
【発明の開示】
【発明が解決しようとする課題】
【０００５】
図３３に示した従来の通信システムでは、顧客通信装置９００Ａ，９００Ｂ，９００Ｂのいずれか１つと外部通信装置６００との間で通信を行う場合、各ネットワーク（通信網ＬISP，通信網ＬNET）が利用される。一方、顧客通信装置９００Ａ，９００Ｂ，９００Ｃ間で通信を行う場合、通信網ＬNETは利用されることなく通信網ＬISPのみが利用される。しかしながら、従来の通信システムでは通信網ＬISP内における通信と通信網ＬNETに抜ける通信とが区別されておらず、両者の通信量は一括して管理されていた。そのため、通信サービス業者は、通信網ＬISP内における通信に対しても通信網ＬISPの利用料金と上位調達費用とを合わせた通信料金を請求していた。
【０００６】
本発明は、所定の通信網内で行われる通信のトラフィック量とその所定通信網とは別の通信網も利用して行われる通信のトラフィック量とを別々に管理することができるシステムを提供することを目的とする。
【課題を解決するための手段】
【０００７】
この発明によれば、通信システムは、ルータ装置と、複数の通信装置と、第１の記録部と、第２の記録部と、サーバ装置とを備える。ルータ装置は、通信網Ａと通信網Ｂとの間に物理的に接続されて情報信号を中継する。複数の通信装置は、上記通信網Ａに物理的に接続されて情報信号を送信／受信し、且つ、上記通信網Ａに構築された第１の仮想ネットワークに属する。また、上記通信網Ａにおいて、複数の通信装置の各々と上記ルータ装置との間には、第２の仮想ネットワークが構築される。第１の記録部は、上記複数の通信装置の各々が送信／受信した情報信号のトラフィック量を当該通信装置の第１トラフィック量として記録する。第２の記録部は、上記ルータ装置と上記複数の通信装置の各々との間において、上記ルータ装置が当該通信装置との間に構築された第２の仮想ネットワークを介して送信／受信した情報信号のトラフィック量を当該通信装置の第２トラフィック量として記録する。サーバ装置は、上記第１の記録部によって上記通信装置毎に記録された第１トラフィック量と上記第２の記録部によって上記通信装置毎に記録された第２トラフィック量とを取得する。上記複数の通信装置の各々は、上記通信網Ａに接続された他の通信装置との間で通信するときには、上記第１の仮想ネットワークを介して情報信号を送信／受信する。上記複数の通信装置の各々は、上記通信網Ｂとの間で通信するときには、当該通信装置が属する第２の仮想ネットワークを介して情報信号を送信／受信する。上記ルータ装置は、上記複数の通信装置の各々との間に構築された第２の仮想ネットワークを介して当該通信装置からの情報信号を受信すると、当該情報信号を上記通信網Ｂへ送信する。上記ルータ装置は、上記複数の通信装置のうちいずれかに送信すべき情報信号を上記通信網Ｂから受信すると、当該通信装置が属する第２の仮想ネットワークを介して当該情報信号を送信する。
【０００８】
上記通信システムでは、第１トラフィック量を参照すれば、通信網Ａのみを利用した通信と通信網Ａおよび通信網Ｂを利用した通信（全ての通信）において通信装置が送信／受信した情報信号のトラフィック量を把握することができる。また、第２トラフィック量を参照すれば、通信網Ａだけでなく通信網Ｂも利用した通信（外部接続通信）において通信装置が送信／受信した情報信号のトラフィック量を把握することができる。これにより、通信装置の各々に対して通信網Ａ内のみを利用した通信（通信網Ａ内通信）と通信網Ａだけでなく通信網Ｂも利用した通信とを別々に管理することができる。
【０００９】
好ましくは、上記ルータ装置には、複数の物理ポートが設けられている。複数の物理ポートの各々は、上記通信網Ａに物理的に接続される。複数の物理ポートは、上記複数の通信装置に対応する。複数の物理ポートの各々は、対応する通信装置と同一の第２の仮想ネットワークに属する。上記複数の通信装置の各々は、当該通信装置が属する第２の仮想ネットワークを介して情報信号を送信するときには、当該第２の仮想ネットワークに属する物理ポートへ当該情報信号を送信する。上記ルータ装置は、上記複数の通信装置のうちいずれかに送信すべき情報信号を上記通信網Ｂから受信すると、当該通信装置と同一の第２の仮想ネットワークに属する物理ポートを介して情報信号を送信する。上記第２の記録部は、上記複数の物理ポートの各々において当該物理ポートを介して中継された情報信号のトラフィック量を、当該物理ポートと同一の第２の仮想ネットワークに属する通信装置の第２トラフィック量として記録する。
【００１０】
上記通信システムでは、通信装置が通信網Ｂとの間で通信する場合、その通信装置に対応する物理ポートを介して情報信号がやりとりされる。したがって、ルータ装置によって中継された情報信号のトラフィック量を物理ポート毎に記録することによって、外部接続通信のトラフィック量を通信装置毎に記録することができる。
【００１１】
好ましくは、上記複数の通信装置の各々には、第１のＩＰアドレスと、第２のＩＰアドレスとが設定されている。第１のＩＰアドレスは、上記当該通信装置が属する第１の仮想ネットワークに対応するネットワークアドレスを有する。第２のＩＰアドレスは、当該通信装置が属する第２の仮想ネットワークに対応するネットワークアドレスを有する。
【００１２】
上記ルータ装置の複数の物理ポートの各々には、第３のＩＰアドレスが設定されている。第３のＩＰアドレスは、当該物理ポートが属する第２の仮想ネットワークに対応するネットワークアドレスを有する。上記複数の物理ポートの各々に設定された第３のＩＰアドレスは、当該物理ポートと同一の第２の仮想ネットワークに属する通信装置に設定された第２のＩＰアドレスとネットワークアドレス部分が互いに一致する。
【００１３】
上記通信システムでは、上記複数の通信装置の各々には２つのＩＰアドレスが与えられる。第１のＩＰアドレスは他の通信装置に与えられた第１のＩＰアドレスとネットワークアドレス部分が一致しているので、上記複数の通信装置間に第１の仮想ネットワークが構築される。これにより、上記複数の通信装置同士が通信するための通信経路を構築することができる。また、上記複数の通信装置の各々に与えられた第２のＩＰアドレスは、その上記複数の通信装置の各々に対応する上記ルータ装置の複数の物理ポートの各々に与えられた第３のＩＰアドレスとネットワークアドレス部分が一致しているので、上記複数の通信装置とルータ装置との間に第２の仮想ネットワークが構築される。これにより、上記複数の通信装置がルータ装置を介して通信するための通信経路を構築することができる。
【００１４】
好ましくは、上記複数の通信装置の各々は、上記通信網Ａに接続された他の通信装置との間で通信するときには、当該他の通信装置に設定された第１のＩＰアドレスへ向けて情報信号を送信する。上記複数の通信装置の各々は、上記通信網Ｂへ情報信号を送信するときには、当該通信装置と同一の第２の仮想ネットワークに属する物理ポートに設定された第３のＩＰアドレスへ向けて情報信号を送信する。上記ルータ装置は、上記複数の通信装置の各々との間に構築された第２の仮想ネットワークを介して当該通信装置から情報信号が送信されると、当該通信装置によって指定された第３のＩＰアドレスが設定されている物理ポートに当該情報信号を受信して、当該受信した情報信号を上記通信網Ｂへ送信する。上記ルータ装置は、上記複数の通信装置のうちいずれかに送信すべき情報信号を上記通信網Ｂから受信すると、当該情報信号の宛先アドレスを参照して当該情報信号を送信すべき通信装置に設定された第２のＩＰアドレスを選択し、当該選択された第２のＩＰアドレスと同一のネットワークアドレスを有する第３のＩＰアドレスが設定された物理ポートを介して当該情報信号を当該選択された第２のＩＰアドレスへ向けて送信する。
【００１５】
上記通信システムでは、複数の通信装置の各々は、通信網Ａに接続された他の通信装置との間で通信するときには、第１の仮想ネットワークを介して情報信号を送信したことになる。また、通信網Ｂへ情報信号を送信するときには、第２の仮想ネットワークを介して情報信号を送信したことになる。また、ルータ装置は、複数の通信装置のうちいずれかに送信すべき情報信号を通信網Ｂから受信すると、その情報信号を送信すべき通信装置が属する第２の仮想ネットワークを介して情報信号を送信したことになる。
【００１６】
好ましくは、上記ルータ装置には、ルーティングテーブルが格納されている。ルーティングテーブルには、上記複数の第２の仮想ネットワークの各々に対応するネットワークアドレスと、当該第２の仮想ネットワークに属する通信装置に設定された第２のＩＰアドレスとが対応付けられている。上記ルータ装置は、上記複数の通信装置のうちいずれかに送信すべき情報信号を上記通信網Ｂから受信すると、上記ルーティングテーブルの中から当該情報信号の宛先アドレスに対応するネットワークアドレスを検索し、検出されたネットワークアドレスに対応付けられた第２のＩＰアドレスを選択する。
【００１７】
好ましくは、上記複数の通信装置の各々は、上記通信網Ａに接続された他の通信装置との間で通信するときには、当該通信装置に設定された第１のＩＰアドレスを、情報信号の送信元アドレスとして使用する。上記複数の通信装置の各々は、上記通信網Ｂへ情報信号を送信するときには、当該通信装置に設定された第２のＩＰアドレスを、情報信号の送信元アドレスとして使用する。
【００１８】
好ましくは、上記通信システムは、さらに、複数の第１収容スイッチと、第２収容スイッチとを備える。複数の第１収容スイッチの各々には、所定識別子が設定されている。複数の第１収容スイッチは、上記複数の通信装置に対応する。複数の第１収容スイッチの各々は、対応する通信装置と上記通信網Ａとの間に物理的に接続される。第２収容スイッチは、上記所定識別子が設定されており、且つ、上記ルータ装置と上記通信網Ａとの間に物理的に接続される。複数の第１収容スイッチの各々は、当該第１収容スイッチに対応する通信装置から上記通信網Ａへ情報信号を中継するときには、当該情報信号に上記所定識別子を示す拡張タグを付加する。複数の第１収容スイッチの各々は、上記通信網Ａから当該第１収容スイッチに対応する通信装置へ情報信号を中継するときには、当該情報信号に付加された拡張タグの識別子を参照して、当該情報信号の中継の要否を判断する。上記第２収容スイッチは、上記通信網Ａから上記ルータ装置へ情報信号を中継するときには、当該情報信号に付加された拡張タグの識別子を参照して、当該情報信号の中継の要否を判断する。上記第２収容スイッチは、上記ルータ装置から上記通信網Ａへ情報信号を中継するときには、当該情報信号に上記所定識別子を示す拡張タグを付加する。
【００１９】
上記通信システムでは、複数の通信装置およびルータ装置を、仮想的なグループに所属させることができる。例えば、ＶＬＡＮ（Virtual LAN）を構築することができる。
【００２０】
好ましくは、上記複数の通信装置の各々には、共通識別子と、個別識別子とが設定されている。共通識別子は、上記複数の通信装置の各々の間で互いに一致する識別子である。個別識別子は、上記複数の通信装置の各々の間で互いに異なる識別子である。上記ルータ装置は、上記複数の通信装置の各々に設定された個別識別子を記憶している。上記複数の通信装置の各々は、さらに、上記通信網Ａに接続された他の通信装置との間で通信するときには、当該通信装置に設定された共通識別子を示すユーザタグを当該情報信号に付加する。上記複数の通信装置の各々は、上記通信網Ｂへ情報信号を送信するときには、当該通信装置に設定された個別識別子を示すユーザタグを当該情報信号に付加する。上記ルータ装置は、さらに、上記複数の通信装置の各々との間に構築された第２の仮想ネットワークを介して当該通信装置から情報信号が送信されると、当該通信装置によって指定された第３のＩＰアドレスが設定されている物理ポートに受信して、当該情報信号に付加されたユーザタグが示す識別子を参照して当該情報信号の中継の要否を判断する。上記ルータ装置は、上記複数の通信装置のうちいずれかに送信すべき情報信号を上記通信網Ｂから受信すると、当該情報信号の宛先アドレスを参照して当該情報信号を送信すべき通信装置に設定された個別識別子を示すユーザタグを当該情報信号に付加する。
【００２１】
上記通信システムでは、情報信号にユーザタグを付加することによって、複数の通信装置の各々が独自に有するネットワークを互いに区別することができる。例えば、通信装置（１）が有するネットワークに送信すべき情報信号が、通信装置（２）が有するネットワークに送信されることを防止することができる。これにより、通信装置の各々が有する独自のネットワークのセキュリティレベルを向上させることができる。
【００２２】
好ましくは、上記ルータ装置は、さらに、識別子対応テーブルが格納されている。識別子対応テーブルには、上記複数の通信装置の各々に設定された第２のＩＰアドレスと、当該通信装置に設定された個別識別子とが対応付けられている。上記ルータ装置は、上記複数の通信装置のうちいずれかに送信すべき情報信号を上記通信網Ｂから受信すると、上記ルーティングテーブルの中から選択された第２のＩＰアドレスに対応する個別識別子を上記識別子対応テーブルの中から選択し、当該選択された個別識別子を示すユーザタグを当該情報信号に付加する。
【００２３】
好ましくは、上記複数の通信装置の各々には、共通識別子と、個別識別子とが設定されている。共通識別子は、上記複数の通信装置の各々の間で互いに一致する識別子である。個別識別子は、上記複数の通信装置の各々の間で互いに異なる識別子である。上記ルータ装置は、上記複数の通信装置の各々に設定された個別識別子を記憶している。上記複数の通信装置の各々は、さらに、上記通信網Ａに接続された他の通信装置との間で通信するときには、当該通信装置に設定された共通識別子を示すユーザタグを当該情報信号に付加する。上記複数の通信装置の各々は、上記通信網Ｂとの間で通信するときには、当該通信装置に設定された個別識別子を示すユーザタグを当該情報信号に付加する。上記ルータ装置は、さらに、上記複数の通信装置の各々との間に構築された第２の仮想ネットワークを介して当該通信装置からの情報信号を受信すると、当該情報信号に付加されたユーザタグが示す識別子を参照して当該情報信号の中継の要否を判断する。上記ルータ装置は、上記複数の通信装置のうちいずれかに送信すべき情報信号を上記通信網Ｂから受信すると、当該通信装置の宛先アドレスを参照して当該情報信号を送信すべき通信装置に設定された個別識別子を示すユーザタグを当該情報信号に付加する。上記第２の記録部は、上記ルータ装置と上記複数の通信装置の各々との間において、上記ルータ装置が当該通信装置との間に構築された第２の仮想ネットワークを介して送信／受信した情報信号のうち個別識別子を示すユーザタグが付加された情報信号のトラフィック量を、当該個別識別子が設定された通信装置の第２トラフィック量として記録する。
【００２４】
上記通信システムでは、通信装置が通信網Ｂとの間で通信する場合、情報信号に通信装置に個別識別子が付加される。つまり、個別識別子を参照することによって、どの通信装置の情報信号であるのかを把握することができる。したがって、ルータ装置が中継した情報信号のトラフィック量を個別識別子毎に記録することによって、外部接続通信のトラフィック量を通信装置毎に記録することができる。
【００２５】
好ましくは、上記複数の通信装置の各々には、第１のＩＰアドレスと、第２のＩＰアドレスとが設定されている。第１のＩＰアドレスは、上記第１の仮想ネットワークに対応するネットワークアドレスを有する。第２のＩＰアドレスは、当該通信装置が属する第２の仮想ネットワークに対応するネットワークアドレスを有する。上記ルータ装置には、複数の第３のＩＰアドレスが設定されている。複数の第３のＩＰアドレスは、上記複数の第２の仮想ネットワークに対応する。複数の第３のＩＰアドレスの各々は、対応する第２の仮想ネットワークに対応するネットワークアドレスを有する。上記ルータ装置に設定された複数の第３のＩＰアドレスの各々は、当該第３のＩＰアドレスに対応する第２の仮想ネットワークに属する通信装置に設定された第２のＩＰアドレスとネットワークアドレス部分が互いに一致する。
【００２６】
上記通信システムでは、上記複数の通信装置の各々には２つのＩＰアドレスが与えられる。第１のＩＰアドレスは他の通信装置に与えられた第１のＩＰアドレスとネットワークアドレス部分が一致しているので、上記複数の通信装置間に第１の仮想ネットワークが構築される。これにより、上記複数の通信装置同士が通信するための通信経路を構築することができる。また、上記複数の通信装置の各々に与えられた第２のＩＰアドレスは、物理ポートに与えられた複数の第３のＩＰアドレスのいずれかとネットワークアドレス部分が一致しているので、上記複数の通信装置とルータ装置との間に第２の仮想ネットワークが構築される。これにより、上記複数の通信装置がルータ装置を介して通信するための通信経路を構築することができる。
【００２７】
好ましくは、上記通信網Ａは、上記複数の通信装置に対応し且つ当該対応する通信装置と上記ルータ装置とを物理的に接続する複数の通信回線を含む。上記複数の通信装置の各々は、当該通信装置が接続された通信回線とは異なる通信回線に接続された他の通信装置との間で通信するときには、当該通信装置に設定された共通識別子を示すユーザタグが付加された情報信号を当該他の通信装置に設定された第１のＩＰアドレスへ向けて送信する。上記複数の通信装置の各々は、上記通信網Ｂへ情報信号を送信するときには、当該通信装置に設定された個別識別子を示すユーザタグが付加された情報信号を当該通信装置が属する第２の仮想ネットワークに対応する第３のＩＰアドレスへ向けて送信する。上記ルータ装置は、上記複数の通信回線を介して当該通信回線に接続された通信装置からの情報信号を受信すると、当該情報信号に付加されたユーザタグが個別識別子を示す場合には当該情報信号を通信網Ｂへ送信する。上記ルータ装置は、上記複数の通信装置のうちいずれかに送信すべき情報信号を上記通信網Ｂから受信すると、当該情報信号の宛先アドレスを参照して当該情報信号を送信すべき通信装置に設定された第２のＩＰアドレスを選択し、当該情報信号を送信すべき通信装置に設定された個別識別子を示すユーザタグを当該情報信号に付加して、当該ユーザタグを付加した情報信号を当該情報信号を送信すべき通信装置が接続された通信回線を介して当該選択された第２のＩＰアドレスへ向けて送信する。上記第１の記録部は、上記複数の通信回線の各々において当該通信回線を介して送信／受信された情報信号のトラフィック量を、当該通信回線に接続された通信装置の第１トラフィック量として記録する。
【００２８】
好ましくは、上記ルータ装置には、ルーティングテーブルが格納されている。ルーティングテーブルには、上記複数の第２の仮想ネットワークの各々に対応するネットワークアドレスと、当該第２の仮想ネットワークに属する通信装置に設定された第２のＩＰアドレスとが対応付けられている。上記ルータ装置は、上記複数の通信装置のうちいずれかに送信すべき情報信号を上記通信網Ｂから受信すると、上記ルーティングテーブルの中から当該情報信号の宛先アドレスに対応するネットワークアドレスを検索し、検出されたネットワークアドレスに対応付けられた第２のＩＰアドレスを選択する。
【００２９】
好ましくは、上記ルータ装置には、さらに、識別子対応テーブルと、通信回線対応テーブルとが格納されている。識別子対応テーブルは、上記複数の通信装置の各々に設定された第２のＩＰアドレスと、当該通信装置に設定された個別識別子とが対応付けられている。通信回線対応テーブルは、上記複数の通信装置の各々に設定された個別識別子と、当該通信装置が接続される通信回線とが対応付けられている。上記ルータ装置は、上記複数の通信装置のうちいずれかに送信すべき情報信号を上記通信網Ｂから受信すると、上記ルーティングテーブルの中から選択された第２のＩＰアドレスに対応する個別識別子を上記識別子対応テーブルの中から選択して当該選択されたユーザ識別子を示すユーザタグを当該情報信号に付加するとともに、当該選択された個別識別子に対応する通信回線を上記通信回線対応テーブルの中から選択し、当該ユーザタグが付加された情報信号を当該選択された通信回線を介して送信する。
【００３０】
好ましくは、上記サーバ装置は、上記複数の通信装置のうちいずれか１つの通信料金を算出するときに、上記第２の記録部によって記憶された当該通信装置の第２トラフィック量に対して第１従量料金を乗じて第１通信料金を算出するとともに、上記第１の記録部によって記録された当該通信装置の第１トラフィック量から当該通信装置の第２トラフィック量を減算して算出される第３トラフィック量に対して上記第１従量料金よりも安い第２従量料金を乗じて第２の通信料金を算出する。
【００３１】
上記通信システムでは、外部接続通信よりも通信網Ａ内通信の方が安く設定されている。したがって、外部接続通信の通信料金と通信網Ａ内通信の通信料金との合計金額を、従来の通信料金よりも安くすることができる。
【００３２】
好ましくは、上記通信システムは、上記通信網Ｂと上記通信網Ｂとは異なる通信網Ｃとの間に接続される外部接続用ルータをさらに備える。上記第１従量料金は、上記通信網Ｂおよび通信網Ｃを利用する通信に対して科せられる料金である。上記第２従量料金は、上記通信網Ａのみを利用する通信に対して科せられる料金である。
【００３３】
また、この発明によれば、通信システムは、第１の仮想ネットワークと第２の仮想ネットワークのうち、最適な経路を選択して通信を行うことにより、結果的に利用料金を安価に抑えることができる。
【発明の効果】
【００３４】
以上のように、通信装置の各々に対して通信網Ａ内のみを利用した通信（通信網Ａ内通信）と通信網Ａだけでなく通信網Ｂも利用した通信とを別々に管理することができる。
【発明を実施するための最良の形態】
【００３５】
以下、この発明の実施の形態を図面を参照して詳しく説明する。なお、図中同一または相当部分には同一の符号を付しその説明は繰り返さない。
【００３６】
（第１の実施形態）
＜全体構成＞
図１は、この発明の第１の実施形態による通信システムの全体構成を示す。この通信システムは、通信網（例えば、ＶＬＡＮ網）ＬVLANと、通信網（例えば、ＩＳＰ網）ＬISPと、ルータＲ１００と、サーバ３００と、顧客Ａ，Ｂ，Ｃに設けられた顧客通信装置４００Ａ，４００Ｂ，４００Ｃと、収容スイッチ５００−１，５００−Ａ，５００−Ｂ，５００−Ｃとを備える。通信網（例えば、ＩＳＰ網）ＬISPは、ルータＲ２００を介して通信網（例えば、インターネット網）ＬNETに接続される。通信網ＬNETには、外部通信装置６００が物理的に接続されている。
【００３７】
通信サービス業者は、通信網ＬVLAN，通信網ＬISP，ルータＲ１００，ルータＲ２００，サーバ３００を管理する。顧客Ａ，Ｂ，Ｃの各々は、通信網ＬISP等を管理する通信サービス業者から通信サービスの提供を受ける。通信網ＬNETは、通信網ＬISP等を管理する通信サービス業者とは別の通信サービス業者に管理される。外部通信装置６００の所有者は、通信網ＬNETを管理する通信サービス業者から通信サービスの提供を受ける。また、通信網ＬISP等を管理する通信サービス業者は、通信網ＬNETを管理する通信サービス業者に対して調達料金を支払うことによってその通信網ＬNETへのアクセスの許諾を受ける。
【００３８】
図１に示した通信システムでは、顧客通信装置４００Ａ，４００Ｂ，４００Ｃ，外部通信装置６００の各々は、各ネットワーク（通信網ＬVLAN，通信網ＬISP，通信網ＬNET）を介して、情報信号のやりとりを行う。
【００３９】
〔情報信号〕
情報信号には、ＭＡＣ（Media Access Control）ヘッダ，情報信号の送り先を示す宛先アドレス（Destination IP Address），情報信号の送信元を示す送信元アドレス（Source IP Address），情報ＤＡＴＡが書き込まれる。
【００４０】
〔拡張タグ〕
通信網ＬVLANに送信される情報信号には、IEEE802.1Q規格のEtherTypeを変更した拡張タグが付加される。拡張タグには、通信網ＬVLAN固有のＶＬＡＮ識別子（ここでは、ＶＬＡＮ＿ＩＤ）が書き込まれる。また、通信網ＬVLANに接続される収容スイッチ５００−Ａ，５００−Ｂ，５００−Ｃ，および収容スイッチ５００−１の各々には、このＶＬＡＮ識別子（ＶＬＡＮ＿ＩＤ）が設定されている。
【００４１】
〔ルータＲ１００〕
ルータＲ１００は、通信網ＬISPと通信網ＬVLANとの間に物理的に接続されて、情報信号を中継する。ルータＲ１００には、複数の物理ポート（ここでは、３つの物理ポート）が通信網ＬVLAN側に設けられる。また、ルータＲ１００は、ルーティングテーブルを有しており、情報信号を中継するときにはその情報信号の宛先アドレスを参照してルーティングテーブルの中から情報信号の送信先を選択する。
【００４２】
〔ルータＲ２００〕
ルータＲ２００は、通信網ＬISPと通信網ＬNETとの間に物理的に接続されて、情報信号を中継する。また、ルータＲ２００は、ルーティングテーブル（図示せず）を有しており、情報信号を中継するときにはその情報信号の宛先アドレスを参照してルーティングテーブルの中から情報信号の送信先を選択する。
【００４３】
〔顧客通信装置〕
顧客通信装置４００Ａ，４００Ｂ，４００Ｃは、収容スイッチ５００−Ａ，５００−Ｂ，５００−Ｃを介して、通信網ＬVLANに物理的に接続される。顧客通信装置４００Ａ，４００Ｂ，４００Ｃの各々は、通信網Ａに構築された第１の仮想ネットワークに属する。また、顧客通信装置４００Ａ，４００Ｂ，４００Ｃの各々とルータＲ１００との間には、第２の仮想ネットワークが構築されている。仮想ネットワークについては、後述する。
【００４４】
また、顧客通信装置４００Ａ，４００Ｂ，４００Ｃの各々は、情報信号を通信網ＬVLANに送信するときに、その情報信号に対して送信元アドレスおよび宛先アドレスの書き込み等を行う。
【００４５】
なお、顧客Ｃには、顧客通信装置４００Ｃの他に、レイヤー２スイッチ４０１Ｃが設けられている。これは、顧客通信装置４００Ｃに２つのＩＰアドレスを割り当てるためである。
【００４６】
〔収容スイッチ５００−１〕
収容スイッチ５００−１は、通信網ＬVLANとルータＲ１００と間で情報信号を中継するときに、ＶＬＡＮ識別子を示す拡張タグの付加，拡張タグの識別，拡張タグの取り外しを行う。
【００４７】
また、収容スイッチ５００−１は、ルータＲ１００が顧客通信装置４００Ａ〜４００Ｃの各々との間で送信／受信した情報信号のトラフィック量を顧客通信装置毎に記録する。
【００４８】
〔収容スイッチ５００−Ａ〜５００−Ｃ〕
収容スイッチ５００−Ａ〜５００−Ｃの各々は、自己に対応する顧客通信装置と通信網ＬVLANへとの間で情報信号を中継するときに、拡張タグの付加，拡張タグの識別，拡張タグの取り外しを行う。
【００４９】
また、収容スイッチ５００−Ａ〜５００−Ｃの各々は、自己に対応する顧客通信装置が送信／受信した情報信号のトラフィック量を記録する。
【００５０】
〔サーバ３００〕
サーバ３００は、収容スイッチ５００−１によって記録されたトラフィック量の取得，収容スイッチ５００−Ａ，５００−Ｂ，５００−Ｃの各々によって記録されたトラフィック量の取得を実行して、顧客通信装置４００Ａ，４００Ｂ，４００Ｃが通信のときに送信／受信した情報信号のトラフィック量を接続経路ごとに区別して管理する。詳しくは、サーバ３００は、「通信網ＬVLANのみ利用した通信」と「通信網ＬVLAN以外（通信網ＬNET）も利用した通信」とを区別して管理する。さらに、サーバ３００は、自己が管理する顧客通信装置４００Ａ，４００Ｂ，４００Ｃの各々が送信／受信した情報信号のトラフィック量を参照して、顧客Ａ，Ｂ，Ｃの各々に対して請求する通信料金を算出する。
【００５１】
また、サーバ３００は、通信網ＬVLAN，通信網ＬISPに存在する各物理ポートに対する監視（いわゆるＰｉｎｇ監視）の実行等を行い、通信網ＬVLAN，通信網ＬISPを管理する。
【００５２】
〔外部通信装置〕
外部通信装置６００は、通信網ＬNETに接続される。外部通信装置６００は、通信網ＬNETを介して、情報信号を送信／受信する。
【００５３】
＜仮想ネットワークについて＞
次に、顧客通信装置４００Ａ，４００Ｂ，４００Ｃの各々が属する第１の仮想ネットワークと、ルータＲ１００と顧客通信装置４００Ａ，４００Ｂ，４００Ｃの各々とに構築される第２の仮想ネットワークとについて説明する。
【００５４】
ここで、図２を参照して、ルータＲ１００，顧客通信装置４００Ａ，４００Ｂ，４００Ｃの各々に設定されるＩＰアドレスについて説明する。
【００５５】
顧客通信装置４００Ａには、通信網ＬVLAN側に１つの物理ポートＰ４００Ａが設けられている。その物理ポートＰ４００Ａには、通信網ＬVLAN用のＩＰアドレス（以下、通信網Ａ用アドレスと記載する。）と外部接続用のＩＰアドレス（以下、外部用アドレスと記載する。）との２つのＩＰアドレスが設定される。
【００５６】
顧客通信装置４００Ｂには、顧客通信装置４００Ａと同様に、通信網ＬVLAN側に１つの物理ポートＰ４００Ｂが設けられる。その物理ポートＰ４００Ｂには、通信網Ａ用アドレスと外部用アドレスとの２つのＩＰアドレスが設定される。
【００５７】
顧客通信装置４００Ｃには、レイヤー２スイッチ４０１Ｃを介して通信網ＬVLAN側に２つの物理ポートＰ４００Ｃ−１，Ｐ４００Ｃ−２が設けられる。物理ポートＰ４００Ｃ−１には、通信網Ａ用アドレスが設定される。物理ポートＰ４００Ｃ−２には、外部用アドレスが設定される。
【００５８】
ルータＲ１００には、通信網ＬISP側に１つの物理ポートＰ１００−１が設けられ、通信網ＬVLAN側に３つの物理ポートＰ１００−Ａ，Ｐ１００−Ｂ，Ｐ１００−Ｃが設けられる。物理ポートＰ１００−Ａは顧客通信装置４００Ａに対応し、物理ポートＰ１００−Ｂは顧客通信装置４００Ｂに対応し、物理ポートＰ１００−Ｃは顧客通信装置４００Ｃに対応する。物理ポートＰ１００−１，Ｐ１００−Ａ，Ｐ１００−Ｂ，Ｐ１００−Ｃの各々には、ＩＰアドレスが１つずつ設定されている。
【００５９】
物理ポートＰ１００−１に設定されたＩＰアドレスは、通信網ＬISP（通信網Ｂ）において次に情報信号を送信すべきルータ（ここでは、ルータＲ２００）に設定されたＩＰアドレス（図示せず）と、ネットワークアドレス部分が一致する。
【００６０】
顧客通信装置４００Ａ，４００Ｂ，４００Ｃの各々の物理ポートに設定された通信網Ａ用アドレスは、互いにネットワークアドレス部分が一致している。このようにＩＰアドレスを設定することにより、顧客通信装置４００Ａ，４００Ｂ，４００Ｃの各々は第１の仮想ネットワークに属していることになる。つまり、顧客通信装置４００Ａ，４００Ｂ，４００Ｃの各々に設定された通信網Ａ用アドレスは、第１の仮想ネットワークに対応するネットワークアドレスを有する。
【００６１】
また、顧客通信装置４００Ａの物理ポートＰ４００Ａに設定された外部用アドレスは、顧客通信装置４００Ａに対応する物理ポートＰ１００−Ａに設定されたＩＰアドレスとネットワークアドレスが一致する。このようにＩＰアドレスを設定することによって、顧客通信装置４００Ａと物理ポートＰ１００−Ａとは、同一の仮想ネットワーク（第２の仮想ネットワーク）に属していることになる。つまり、顧客通信装置４００Ａに設定された外部用アドレスは顧客通信装置４００Ａが属する第２の仮想ネットワークに対応するネットワークアドレスを有し、物理ポートＰ１００−Ａに設定されたＩＰアドレスは物理ポートＰ１００−Ａが属する第２の仮想ネットワークに対応するネットワークアドレスを有する。
【００６２】
また、顧客通信装置４００Ｂの物理ポートＰ４００Ｂに設定された外部用アドレスは、顧客通信装置４００Ｂに対応するルータＲ１００の物理ポートＰ１００−Ｂに設定されたＩＰアドレスとネットワークアドレスが一致する。同様に、顧客通信装置４００Ｃの物理ポートＰ４００Ｃに設定された外部用アドレスは、顧客通信装置４００Ｃに対応するルータＲ１００の物理ポートＰ１００−Ｃに設定されたＩＰアドレスとネットワークアドレスが一致する。
【００６３】
このように、顧客通信装置４００Ａ，４００Ｂ，４００Ｃの各々とルータＲ１００との間には、第２の仮想ネットワークが構築されていることになる。
【００６４】
＜ルーティングテーブル＞
〔顧客通信装置のルーティングテーブル〕
顧客通信装置４００Ａ，４００Ｂ，４００Ｃは、ルーティングテーブルを有する。ルーティングテーブルには、ネットワークアドレスとＩＰアドレスとが対応付けられている。ＩＰアドレスは、情報信号を次に送信すべき装置に設定されたＩＰアドレスを示す。
【００６５】
詳しく述べると、「第１の仮想ネットワークに対応するネットワークアドレス」には「宛先アドレスのＩＰアドレス」が対応付けられており、「その他（つまり、第１の仮想ネットワークに対応するネットワークアドレス以外）」には「顧客通信装置と同一の第２の仮想ネットワークに属する物理ポートのＩＰアドレス」が対応付けられている。このルーティングテーブルに従うと、「第１の仮想ネットワークに対応するネットワークアドレス」を有する宛先アドレスが書き込まれた情報信号は「宛先アドレスのＩＰアドレス」へ向けて送信され、「その他のネットワークアドレス」を有する宛先アドレスが書き込まれた情報信号は「顧客通信装置と同一の第２の仮想ネットワークに属する物理ポートのＩＰアドレス」へ向けて送信される。
【００６６】
図３Ａのように、顧客通信装置４００Ａが有するルーティングテーブルには、「第１の仮想ネットワークに対応するネットワークアドレス」と「情報信号の宛先アドレス」とが対応付けられており、「その他」と「物理ポートＰ１００−ＡのＩＰアドレス」とが対応付けられている。
【００６７】
〔ルータＲ１００のルーティングテーブル〕
ルータＲ１００は、ルーティングテーブルを有する。ルーティングテーブルには、ネットワークアドレスとＩＰアドレスとが対応付けられている。ＩＰアドレスは、情報信号を次に送信すべき装置に設定されたＩＰアドレスを示す。
【００６８】
図３Ｂのように、ルータＲ１００が有するルーティングテーブルには、「第２の仮想ネットワークに対応するネットワークアドレス」と「その第２の仮想ネットワークに属する顧客通信装置に設定された外部用アドレス」とが対応付けられており、「その他（つまり、複数の第２の仮想ネットワークのいずれにも対応しないネットワークアドレス）」と「次のルータに設定されたＩＰアドレス（ここでは、ルータＲ２００に設定されたＩＰアドレス）」とが対応付けられている。
【００６９】
＜顧客通信装置，収容スイッチにおける通信手順＞
次に、図１に示した顧客通信装置４００Ａ，４００Ｂ，４００Ｃと収容スイッチ５００−Ａ，５００−Ｂ，５００−Ｃとによる情報信号の送信および受信の手順について説明する。なお、顧客通信装置４００Ａと収容スイッチ５００−Ａ，顧客通信装置４００Ｂと収容スイッチ５００−Ｂ，顧客通信装置４００Ｃと収容スイッチ５００−Ｃの各々では同様の通信手順が行われるので、代表して顧客通信装置４００Ａと収容スイッチ５００−Ａによる通信手順について説明する。
【００７０】
《顧客通信装置→通信網ＬVLAN》
図４を参照しつつ、顧客通信装置４００Ａから通信網ＬVLANへ情報信号が送信される手順について説明する。
【００７１】
〔ステップＳＴ１０１〕
顧客通信装置４００Ａは、送信すべき情報ＤＡＴＡを作成する。次に、顧客通信装置４００Ａは、送信先のＩＰアドレスを宛先アドレスとして情報信号に書き込む。これにより、宛先アドレスが設定される。
【００７２】
〔ステップＳＴ１０２〕
次に、顧客通信装置４００Ａは、情報信号の宛先アドレスに対応するＩＰアドレスを、自己に格納されたルーティングテーブル（図３Ａ参照）の中から選択する。詳しくは、顧客通信装置４００Ａは、宛先アドレスのネットワークアドレスをルーティングテーブルの中から検索し、検出したネットワークアドレスに対応するＩＰアドレスを選択する。つまり、第１の仮想ネットワークに属する「他の顧客通信装置に設定された通信網Ａ用アドレス」および第２の仮想ネットワークに属する「物理ポートＰ１００ＡのＩＰアドレス」のうちいずれか一方を選択する。
【００７３】
〔ステップＳＴ１０３〕
次に、顧客通信装置４００Ａは、ステップＳＴ１０２において選択されたＩＰアドレスが「通信網Ａ用アドレス」であるか否かを判断する。つまり、顧客通信装置４００Ａは、情報信号の宛先アドレスのネットワークアドレスが「第１の仮想ネットワークに対応するネットワークアドレス」であるか否かを判断する。選択されたＩＰアドレスが「通信網Ａ用アドレス」である場合（例えば、「顧客通信装置４００Ｂの通信網Ａ用アドレス」である場合）にはステップＳＴ１０４へ進み、そうでない場合にはステップＳＴ１０７へ進む。
【００７４】
〔ステップＳＴ１０４〕
次に、顧客通信装置４００Ａは、自己に設定された（物理ポートＰ４００Ａに設定された）通信網Ａ用アドレスを送信元アドレスとして情報信号に書き込む。
【００７５】
〔ステップＳＴ１０５〕
次に、顧客通信装置４００Ａは、宛先アドレスおよび送信元アドレスが書き込まれた情報信号を、ステップＳＴ１０２においてルーティングテーブルの中から選択されたＩＰアドレスへ向けて送信する。
【００７６】
〔ステップＳＴ１０６〕
次に、収容スイッチ５００−Ａは、顧客通信装置４００Ａから送信された情報信号を受信すると、自己に設定されているＶＬＡＮ識別子（ＶＬＡＮ＿ＩＤ）を示す拡張タグを情報信号に付加する。次に、収容スイッチ５００−Ａは、拡張タグを付加した情報信号を通信網ＬVLANへ送信する。
【００７７】
〔ステップＳＴ１０７〕
一方、ステップＳＴ１０２において選択されたＩＰアドレスが「通信網Ａ用アドレス」ではないと判断すると、顧客４００Ａは、自己に設定された（物理ポートＰ４００Ａに設定された）外部用アドレスを送信元アドレスとして情報信号に書き込む。次に、ステップＳＴ１０５へ進む。
【００７８】
このように、顧客通信装置４００Ａ〜４００Ｃの各々は、情報信号の送信先に応じて、「第１の仮想ネットワーク」および「第２の仮想ネットワーク」のうちいずれか一方を介して情報信号を送信する。
【００７９】
なお、顧客通信装置の送信元アドレスとして「外部用アドレス」がデフォルトとして設定されていてもよい。
【００８０】
《通信網ＬVLAN→顧客通信装置》
図５を参照しつつ、通信網ＬVLANから顧客通信装置４００Ａへ情報信号が送信される手順について説明する。ここで、情報信号は、顧客通信装置４００Ａの「通信網Ａ用アドレス」および「外部用アドレス」のうちいずれか一方へ向けて送信されたものである。
【００８１】
〔ステップＳＴ１１１〕
まず、収容スイッチ５００−Ａは、通信網ＬVLANからの情報信号を受信すると、受信した情報信号に付加された拡張タグを参照して、その情報信号を取得すべきか否かを判断する。詳しくは、収容スイッチ５００−Ａは、拡張タグに書き込まれたＶＬＡＮ識別子とこの収容スイッチ５００−Ａに設定されているＶＬＡＮ識別子とが一致する場合にはその情報信号を取得してステップＳＴ１１２へ進み、そうでない場合にはその情報信号を破棄する。
【００８２】
〔ステップＳＴ１１２〕
次に、収容スイッチ５００−Ａは、ステップＳＴ１１１において取得した情報信号から拡張タグを取り外す。次に、収容スイッチ５００−Ａは、拡張タグを取り外した情報信号を顧客通信装置４００Ａへ送信する。
【００８３】
〔ステップＳＴ１１３〕
まず、顧客通信装置４００Ａの物理ポートＰ４００Ａは、収容スイッチ５００−Ａからの情報信号を受信する。ここで、情報信号が顧客通信装置４００Ａの「通信網Ａ用アドレス」へ向けて送信された情報信号である場合には、第１の仮想ネットワーク介して送信された情報信号を受信したことになり、情報信号が顧客通信装置４００Ａの「外部用アドレス」へ向けて送信された情報信号である場合には、第２の仮想ネットワーク介して送信された情報信号を受信したことになる。
【００８４】
〔ステップＳＴ１１４〕
次に、顧客通信装置４００Ａは、物理ポートＰ４００Ａに受信された情報信号を取得する。
【００８５】
このように、顧客通信装置４００Ａ〜４００Ｃの各々は、「第１の仮想ネットワーク」および「第２の仮想ネットワーク」のうちいずれか一方を介して情報信号を受信する。
【００８６】
《収容スイッチ５００−Ａ〜５００−Ｃによるトラフィック量の記録》
また、収容スイッチ５００−Ａは、通信網ＬVLANと顧客通信装置４００−Ａとの間で情報信号を中継したときに、その中継した情報信号のトラフィック量をカウントし、そのカウント値を顧客通信装置４００Ａのアクセス回線トラフィック量Traffic(CPU-A)として記録する。
【００８７】
収容スイッチ５００−Ｂ（５００Ｃ）は、収容スイッチ５００−Ａと同様に、通信網ＬVLANと顧客通信装置４００−Ｂ（通信網ＬVLANと顧客通信装置４００−Ｃ）との間で情報信号を中継したときに、その中継した情報信号のトラフィック量をカウントし、そのカウント値を顧客通信装置４００Ｂ（顧客通信装置４００Ｃ）のアクセス回線トラフィック量Traffic(CPU-B)（Traffic(CPU-C)）として記録する。
【００８８】
このようにして、収容スイッチ５００−Ａ〜５００Ｃの各々は、自己に対応する顧客通信装置が送信／受信した情報信号のトラフィック量を記録する。
【００８９】
＜ルータＲ１００，収容スイッチ５００−１における通信手順＞
次に、図１に示したルータＲ１００および収容スイッチ５００−１による情報信号の中継の手順について説明する。なお、物理ポートＰ１００−Ａ，Ｐ１００−Ｂ，Ｐ１００−Ｃの各々に対する処理は同様であるので、物理ポートＰ１００−Ａに対する処理について説明する。
【００９０】
《通信網ＬVLAN→通信網ＬISP》
図６を参照しつつ、通信網ＬVLAN（通信網Ａ）から通信網ＬISP（通信網Ｂ）へ情報信号が中継される手順について説明する。ここで、情報信号は、顧客通信装置４００Ａから物理ポートＰ１００−ＡのＩＰアドレスへ向けて送信されたものである。
【００９１】
〔ステップＳＴ１２１〕
収容スイッチ５００−１は、通信網ＬVLANからの情報信号を受信すると、受信した情報信号に付加された拡張タグを参照して、その情報信号を中継すべきか否かを判断する。詳しくは、収容スイッチ５００−１は、拡張タグに書き込まれたＶＬＡＮ識別子とこの収容スイッチ５００−１に設定されているＶＬＡＮ識別子とが一致する場合には情報信号を取得してステップＳＴ１２２へ進み、そうでない場合にはその情報信号を破棄する。
【００９２】
〔ステップＳＴ１２２〕
次に、収容スイッチ５００−１は、ステップＳＴ１２１において受信した情報信号から拡張タグを取り外す。次に、収容スイッチ５００−１は、拡張タグを取り外した情報信号をルータＲ１００へ送信する。
【００９３】
〔ステップＳＴ１２３〕
次に、ルータＲ１００の物理ポートＰ１００−Ａは、収容スイッチ５００−１からの情報信号を受信する。ここで、物理ポートＰ１００−Ａが受信する情報信号は、顧客通信装置４００−Ａから物理ポートＰ１００−ＡのＩＰアドレスへ向けて送信されたものである。つまり、物理ポートＰ１００−Ａは、顧客通信装置４００Ａから第２の仮想ネットワークを介して送信された情報信号を受信したことになる。
【００９４】
〔ステップＳＴ１２４〕
次に、ルータＲ１００は、物理ポートＰ１００−Ａに受信された情報信号の宛先アドレスに対応するＩＰアドレスを、自己に格納するルーティングテーブル（図３Ｂ参照）の中から選択する。詳しくは、ルータＲ１００は、宛先アドレスのネットワークアドレスをルーティングテーブルの中から検索し、検出したネットワークアドレスに対応するＩＰアドレスを選択する。ここで、情報信号は顧客通信装置４００Ａから「物理ポートＰ１００−ＡのＩＰアドレス」へ向けて送信されているので、情報信号の宛先アドレスのネットワークアドレスは「その他」に該当する。よって、「次のルータＲ２００に設定されたＩＰアドレス」が選択される。
【００９５】
〔ステップＳＴ１２５〕
次に、ルータＲ１００は、ステップＳＴ１２３において物理ポートＰ１００−Ａに受信された情報信号を、ステップＳＴ１２４において選択されたＩＰアドレスへ向けて送信する。ここで、物理ポートＰ１００−１に設定されたＩＰアドレスのネットワークアドレスは「次のルータＲ２００に設定されたＩＰアドレス」のネットワークアドレスと一致するので、情報信号は、物理ポートＰ１００−１を介して通信網Ｂ（通信網ＬISP）へ送信される。
【００９６】
このように、ルータＲ１００は、顧客通信装置４００Ａ〜４００Ｂの各々から第２の仮想ネットワークを介して受信した情報信号を通信網Ｂへ送信する。
【００９７】
《通信網ＬISP→通信網ＬVLAN》
次に、通信網ＬISPから通信網ＬVLANへ情報信号が中継される手順について図７を参照しつつ説明する。なお、ここでは、情報信号の宛先アドレスには「顧客通信装置４００Ａの外部用アドレス」が書き込まれているものとする。
【００９８】
〔ステップＳＴ１３１〕
まず、ルータＲ１００の物理ポートＰ１００−１は、通信網Ｂ（通信網ＬISP）からの情報信号を受信する。つまり、ルータＲ１００は、顧客通信装置４００Ａへ送信すべき情報信号を受信したことになる。
【００９９】
〔ステップＳＴ１３２〕
次に、ルータＲ１００は、物理ポートＰ１００−１に受信された情報信号の宛先アドレスに対応するＩＰアドレスを、自己に格納されたルーティングテーブル（図３Ｂ参照）の中から選択する。ここでは、「顧客通信装置４００Ａの外部用アドレス」が選択される。つまり、顧客通信装置４００Ａが属する第２の仮想ネットワークが選択されたことになる。
【０１００】
〔ステップＳＴ１３３〕
次に、ルータＲ１００は、ステップＳＴ１３１において物理ポートＰ１００−１に受信された情報信号を、ステップＳＴ１３２において選択されたＩＰアドレスへ向けて送信する。ここで、物理ポートＰ１００−Ａに設定されたＩＰアドレスのネットワークアドレスは「顧客通信装置４００Ａに設定された外部用アドレス」のネットワークアドレスと一致するので、情報信号は、物理ポートＰ１００−Ａを介して通信網Ａ（通信網ＬVLAN）へ送信される。つまり、顧客通信装置４００Ａと同一の第２の仮想ネットワークに属する物理ポートを介して情報信号が送信される。
【０１０１】
〔ステップＳＴ１３４〕
次に、収容スイッチ５００−１は、ルータＲ１００の物理ポートＰ１００−Ａからの情報信号を受信すると、受信した情報信号に対して自己に設定されたＶＬＡＮ識別子（ＶＬＡＮ＿ＩＤ）を示す拡張タグを付加する。次に、収容スイッチ５００−１は、拡張タグを付加した情報信号を通信網ＬVLANへ送信する。
【０１０２】
このように、ルータＲ１００は、通信網Ｂから情報信号を受信すると、その情報信号を送信すべき顧客通信装置が属する第２の仮想ネットワークを介して情報信号を送信する。
【０１０３】
《収容スイッチ５００−１によるトラフィック量の記録》
また、収容スイッチ５００−１は、ルータＲ１００の物理ポートＰ１００−Ａへ向けて送信された情報信号または物理ポートＰ１００−Ａから送信された情報信号を中継したときに、その中継した情報信号のトラフィック量をカウントし、そのカウント値を外部接続通信トラフィック量Traffic(Port-A)として記録する。物理ポートＰ１００−Ａは顧客通信装置４００Ａと対応しているので、物理ポートＰ１００−Ａのトラフィック量を記録することによって、顧客通信装置４００Ａの外部接続通信トラフィック量Traffic(Port-A)を記録したことになる。
【０１０４】
また、収容スイッチ５００−１は、同様に、ルータＲ１００の物理ポートＰ１００−Ｂ（Ｐ１００−Ｃ）へ向けて送信された情報信号または物理ポートＰ１００−Ｂ（Ｐ１００−Ｃ）から送信された情報信号を中継したときに、その中継した情報信号のトラフィック量をカウントし、そのカウント値をその情報信号を送信した顧客通信装置の外部接続通信トラフィック量Traffic(Port-B)（Traffic(Port-C)）として記録する。
【０１０５】
このようにして、収容スイッチ５００−１は、ルータＲ１００が顧客通信装置４００Ａ〜４００Ｃの各々との間で送信／受信した情報信号のトラフィック量を顧客通信装置毎に記録する。
【０１０６】
＜具体例＞
次に、図１に示した通信システムによる通信手順について具体例を挙げて説明する。なお、ここでは、
物理ポートＰ１００−Ａ：「192.168.10.1」
物理ポートＰ１００−Ｂ：「192.168.20.1」
物理ポートＰ１００−Ｃ：「192.168.30.1」
物理ポートＰ４００Ａ：    外部用アドレス「192.168.10.2」
通信網Ａ用アドレス「192.168.50.1」
物理ポートＰ４００Ｂ：    外部用アドレス「192.168.20.2」
通信網Ａ用アドレス「192.168.50.2」
物理ポートＰ４００Ｃ：    外部用アドレス「192.168.30.2」
通信網Ａ用アドレス「192.168.50.3」
外部通信装置のＩＰアドレス：「172.16.12.23」
であるものとする。つまり、
第１の仮想ネットワークに対応するネットワークアドレスは「192.168.50」であり、
通信装置４００Ａおよび物理ポートＰ１００−Ａが属する第２の仮想ネットワークに対応するネットワークアドレスは「192.168.10」であり、
通信装置４００Ｂおよび物理ポートＰ１００−Ｂが属する第２の仮想ネットワークに対応するネットワークアドレスは「192.168.20」であり、
通信装置４００Ｃおよび物理ポートＰ１００−Ｃが属する第２の仮想ネットワークに対応するネットワークアドレスは「192.168.30」である。
【０１０７】
《顧客通信装置４００Ａ  →  外部通信装置６００》
まず、図８を参照しつつ、顧客通信装置４００Ａから外部通信装置６００へ情報信号が送信される場合について説明する。
【０１０８】
顧客通信装置４００Ａは、「情報ＤＡＴＡ」を情報信号に書き込み、外部通信装置のＩＰアドレス「172.16.12.23」を宛先アドレスとして情報信号に書き込む。
【０１０９】
次に、顧客通信装置４００Ａは、宛先アドレスに外部通信装置６００のＩＰアドレス「172.16.12.23」が書き込まれているので、顧客通信装置４００Ａの外部用アドレス「192.168.10.2」を送信元アドレスとして情報信号に書き込む。
【０１１０】
また、顧客通信装置４００Ａは、ルーティングテーブルの中から宛先アドレス「172.16.12.23」に対応するＩＰアドレス（物理ポートＰ１００−ＡのＩＰアドレス「192.168.10.1」）を選択し、その選択されたＩＰアドレスへ向けて情報信号を送信する。顧客通信装置４００Ａから収容スイッチ５００−Ａへ送信される情報信号は、図８（Ａ）のようになる。
【０１１１】
次に、収容スイッチ５００−Ａは、自己に設定されたＶＬＡＮ識別子（ＶＬＡＮ＿ＩＤ）を示す拡張タグを情報信号に付加する。次に、収容スイッチ５００−Ａは、拡張タグを付加した情報信号を通信網ＬVLANへ送信する。収容スイッチ５００−Ａから通信網ＬVLANに送信される情報信号は、図８（Ｂ）のようになる。
【０１１２】
次に、収容スイッチ５００−１は、通信網ＬVLANからの情報信号を受信する。ここで、情報信号に付加された拡張タグが示すＶＬＡＮ識別子「ＶＬＡＮ＿ＩＤ」と収容スイッチ５００−１に設定されたＶＬＡＮ識別子とが一致するので、収容スイッチ５００−１は、受信した情報信号を中継すべきであると判断して、その情報信号から拡張タグを取り外す。
【０１１３】
次に、物理ポートＰ１００−Ａには通信装置４００Ａに選択されたＩＰアドレス「192.168.10.1」が設定されているので、物理ポートＰ１００−Ａは、収容スイッチ５００−１からの情報信号を受信する。次に、ルータＲ１００は、ルーティングテーブルの中から情報信号の宛先アドレス「172.16.12.23」に対応するＩＰアドレス「次のルータＲ２００に設定されたＩＰアドレス」を選択し、選択されたＩＰアドレスへ向けて情報信号を送信する。ルータＲ１００から通信網ＬISPへ送信される情報信号は、図８（Ｃ）のようになる。
【０１１４】
次に、ルータＲ２００は、通信網ＬISPからの情報信号を受信する。ここで、情報信号に書き込まれた宛先アドレスが外部通信装置６００のＩＰアドレス「172.16.12.23」であるので、ルータＲ２００は、受信した情報信号を中継すべきであると判断して、その情報信号を通信網ＬNETへ送信する。
【０１１５】
次に、通信網ＬNETからの情報信号に書き込まれた宛先アドレスが「172.16.12.23」であるので、外部通信装置６００は、その情報信号を受信する。
【０１１６】
《外部通信装置６００  →  顧客通信装置４００Ａ》
次に、図９を参照しつつ、外部通信装置６００から顧客通信装置４００Ａへ情報信号が送信される場合について説明する。
【０１１７】
外部通信装置６００は、「情報ＤＡＴＡ」を情報信号に書き込み、顧客通信装置４００ＡのＩＰアドレス「192.168.10.2」を宛先アドレスとして情報信号に書き込み、外部通信装置のＩＰアドレス「172.16.12.23」を送信元アドレスとして情報信号に書き込む。次に、外部通信装置６００は、通信網ＬNETに情報信号を送信する。外部通信装置６００から通信網ＬNETへ送信される情報信号は、図９（Ａ）のようになる。
【０１１８】
次に、ルータＲ２００は、通信網ＬNETからの情報信号を受信する。ここで、情報信号に書き込まれた宛先アドレス「192.168.10.2」が顧客通信装置４００Ａの外部用アドレスであるので、ルータＲ２００は、受信した情報信号を中継すべきであると判断して、その情報信号を通信網ＬISPへ送信する。ルータＲ２００から通信網ＬISPへ送信される情報信号は、図９（Ａ）のままである。
【０１１９】
次に、ルータＲ１００は、通信網ＬISPからの情報信号を物理ポートＰ１００−１に受信する。ここで、ルータＲ１００は、ルーティングテーブルの中から情報信号の宛先アドレス「192.168.10.2」に対応するＩＰアドレス（通信装置４００Ａの外部用アドレス「192.168.10.2」）を選択し、選択されたＩＰアドレスへ向けて情報信号を送信する。このとき、選択されたＩＰアドレス「192.168.10.2」と同一のネットワークアドレスを有するＩＰアドレス「192.168.10.1」が設定された物理ポートＰ１００−１を介して、情報信号が送信される。
【０１２０】
次に、収容スイッチ５００−１は、ルータＲ１００からの情報信号を受信すると、自己に設定されたＶＬＡＮ識別子「ＶＬＡＮ＿ＩＤ」を示す拡張タグをその情報信号に付加する。次に、収容スイッチ５００−１は、拡張タグを付加した情報信号を通信網ＬVLANへ送信する。収容スイッチ５００−１から通信網ＬVLANへ送信される情報信号は、図９（Ｂ）のようになる。
【０１２１】
次に、収容スイッチ５００−Ａは、収容スイッチ５００−１から送信された情報信号を受信する。ここで、その情報信号に付加された拡張タグが示すＶＬＡＮ識別子「ＶＬＡＮ＿ＩＤ」が収容スイッチ５００−Ａに設定されたＶＬＡＮ識別子と一致するので、収容スイッチ５００−Ａは、受信した情報信号を中継すべきであると判断して、その情報信号から拡張タグを取り外す。収容スイッチ５００−Ａから顧客通信装置４００Ａへ送信される情報信号は、図９（Ｃ）のようになる。
【０１２２】
次に、収容スイッチ５００−Ａからの情報信号に書き込まれた宛先アドレスが「192.168.10.2」であるので、顧客通信装置４００Ａは、情報信号を受信する。
【０１２３】
《顧客通信装置４００Ａ  →  顧客通信装置４００Ｂ》
次に、図１０を参照しつつ、顧客通信装置４００Ａから顧客通信装置４００Ｂへ情報信号が送信される場合について説明する。
【０１２４】
顧客通信装置４００Ａは、「情報ＤＡＴＡ」を情報信号に書き込み、顧客通信装置４００Ｂの通信網Ａ用アドレス「192.168.50.2」を宛先アドレスとして情報信号に書き込む。
【０１２５】
次に、顧客通信装置４００Ａは、宛先アドレスに顧客通信装置４００Ｂの通信網Ａ用アドレス「192.168.50.2」が書き込まれているので、顧客通信装置４００Ａの通信網Ａ用アドレス「192.168.50.1」を送信元アドレスとして情報信号に書き込む。
【０１２６】
また、顧客通信装置４００Ａは、ルーティングテーブルの中から宛先アドレス「192.168.50.2」に対応するＩＰアドレス（顧客通信装置４００Ｂの通信網Ａ用アドレス「192.168.50.2」）を選択し、その選択されたＩＰアドレスへ向けて情報信号を送信する。顧客通信装置４００Ａから収容スイッチ５００−Ａへ送信される情報信号は、図１０（Ａ）のようになる。
【０１２７】
次に、収容スイッチ５００−Ａは、自己に設定されたＶＬＡＮ識別子を示す拡張タグを情報信号に付加する。次に、収容スイッチ５００−Ａは、拡張タグを付加した情報信号を通信網ＬVLANに送信する。収容スイッチ５００−Ａから通信網ＬVLANへ送信される情報信号は、図１０（Ｂ）のようになる。
【０１２８】
次に、収容スイッチ５００−Ｂは、収容スイッチ５００−Ａから送信された情報信号を受信する。ここで、受信した情報信号に付加された拡張タグが示すＶＬＡＮ識別子「ＶＬＡＮ＿ＩＤ」と収容スイッチ５００−Ｂに設定されたＶＬＡＮ識別子とが一致するので、収容スイッチ５００−Ｂは、受信した情報信号を取得すべきであると判断して、取得した情報信号から拡張タグを取り外す。収容スイッチ５００−Ｂから顧客通信装置４００Ｂへ送信される情報信号は、図１０（Ｃ）のようになる。
【０１２９】
次に、収容スイッチ５００−Ｂからの情報信号に書き込まれた宛先アドレスが「192.168.50.2」であるので、顧客通信装置４００Ｂは、情報信号を受信する。
【０１３０】
＜料金算出手順＞
次に、サーバ３００による顧客Ａ，Ｂ，Ｃの各々に対して請求する通信料金の算出手順について図１１を参照しつつ説明する。なお、ここでは、代表して顧客Ａについての処理ついて説明する。
【０１３１】
〔ステップＳＴ１４１〕
まず、サーバ３００は、アクセス回線トラフィック量Traffic(CPU-A)の送信を要求する要求信号Request(CPU-A)を収容スイッチ５００−Ａに送信する。収容スイッチ５００−Ａは、サーバ３００からの要求信号Request(CPU-A)を受信する。
【０１３２】
〔ステップＳＴ１４２〕
次に、収容スイッチ５００−Ａは、サーバ３００からの要求信号Request(CPU-A)に応じて、アクセス回線トラフィック量Traffic(CPU-A)を書き込んだ応答信号Response(CPU-A)をサーバ３００に送信する。サーバ３００は、収容スイッチ５００−Ａからの応答信号Response(CPU-A)を受信して、その応答信号Response(CPU-A)に書き込まれたアクセス回線トラフィック量Traffic(CPU-A)を取得する。
【０１３３】
〔ステップＳＴ１４３〕
次に、サーバ３００は、外部接続通信トラフィック量Traffic(Port-A)の送信を要求する要求信号Request(Port-A)を収容スイッチ５００−１に送信する。収容スイッチ５００−１は、サーバ３００からの要求信号Request(Port-A)を受信する。
【０１３４】
〔ステップＳＴ１４４〕
次に、収容スイッチ５００−１は、サーバ３００からの要求信号Request(Port-A)に応じて、外部接続通信トラフィック量Traffic(Port-A)を書き込んだ応答信号Response(Port-A)をサーバ３００に送信する。サーバ３００は、収容スイッチ５００−１からの応答信号Response(Port-A)を受信して、その応答信号Response(Port-A)に書き込まれた外部接続通信トラフィック量Traffic(Port-A)を取得する。
【０１３５】
〔ステップＳＴ１４５〕
次に、サーバ３００は、次の（式１）から顧客通信装置４００Ａが通信網ＬVLAN内（顧客通信装置４００Ａ，４００Ｂ，４００Ｃ間）でやりとりした情報信号のトラフィック量（通信網Ａ内通信トラフィック量）Traffic(LAN-A)を算出する。
【０１３６】
「Traffic(LAN-A)」＝「Traffic(CPU-A)」−「Traffic(Port-A)」・・・（式１）
〔ステップＳＴ１４６〕
次に、サーバ３００は、ステップＳＴ１４５において算出した通信網Ａ内通信トラフィック量Traffic(LAN-A)と自己に格納する料金テーブルに設定された通信網Ａ内通信従量利用料とを参照して、次の（式２）より通信網ＬVLAN内通信に対する通信料金（通信料金（通信網Ａ））を算出する。
【０１３７】
「通信料金（通信網Ａ）」＝「Traffic(LAN-A)」×「通信網Ａ内通信従量利用料」…（式２）
〔ステップＳＴ１４７〕
次に、サーバ３００は、収容スイッチ５００−１から取得した外部接続通信トラフィック量Traffic(Port-A)と自己に格納する料金テーブルに与えられた外部接続通信従量利用料とを参照して、（式３）より外部接続通信に対する通信料金（通信料金（外部接続））を算出する。
【０１３８】
「通信料金（外部接続）」＝「Traffic(Port-A)」×「外部接続通信従量利用料」…（式３）
〔ステップＳＴ１４８〕
次に、サーバ３００は、（式２）より算出した通信料金（通信網Ａ）と（式３）より算出した通信料金（外部接続）との合計金額（通信料金（合計））を算出する。
【０１３９】
〔ステップＳＴ１４９〕
次に、サーバ３００は、ステップＳＴ１４２において取得したアクセス回線トラフィック量Traffic(CPU-A)，ステップＳＴ１４４において取得した外部接続通信トラフィック量Traffic(Port-A)，ステップＳＴ１４５において算出した通信網Ａ内通信トラフィック量Traffic(LAN-A)，ステップＳＴ１４６において算出した通信料金（通信網Ａ），ステップＳＴ１４７において算出した通信料金（外部接続），およびステップＳＴ１４８において算出した通信料金（合計）を用いて，料金請求書を作成する（図１２参照）。
【０１４０】
このように、サーバ３００は、外部接続（通信網ＬNETを利用する通信）の通信に対する通信料金と通信網ＬVLAN内の通信に対する通信料金とを別々に算出する。
【０１４１】
＜効果＞
以上のように、顧客通信装置４００Ａ，４００Ｂ，４００Ｃが通信のときに送信／受信した情報信号のトラフィック量を接続経路ごと（通信網Ａ内通信，外部接続通信）に区別して管理することができる。
【０１４２】
また、顧客が行った各々の通信（通信網Ａ内通信，外部接続通信）に対して個別に通信料金を設定することができる。例えば、通信網Ａ内通信従量利用料を外部接続通信従量利用料よりも安く設定することができる。これにより、通信料金（合計）の金額を安くすることができる。
【０１４３】
なお、本実施形態において説明したトラフィック量の算出方法は、これに限らず、他の算出方法であっても構わない。
【０１４４】
なお、顧客通信装置４００Ａ，４００Ｂ，４００Ｃの各々に対して顧客Ａ，Ｂ，Ｃが独自に有するネットワーク（例えば、社内ＬＡＮ）を接続することも可能である。この場合、顧客通信装置４００Ａ，４００Ｂ，４００Ｃの各々は、ルーティング機能を有していれば、自己が通信網ＬVLANから取得した情報信号をそのネットワークに接続された他の端末に送信することが可能である。また、ステップＳＴ１０１,ＳＴ１１４では次のような処理が行われる。
【０１４５】
〔ステップＳＴ１０１（変形例）〕
まず、社内ＬＡＮに接続された他の端末は、送信すべき情報ＤＡＴＡを作成する。次に、その端末は、送信先のＩＰアドレスを宛先アドレス（情報信号の送り先を示すアドレス）として情報信号に書き込む。次に、顧客通信装置４００Ａは、その端末によって作成された情報信号を社内ＬＡＮを介して受信する。
【０１４６】
〔ステップＳＴ１１４（変形例）〕
次に、顧客通信装置４００Ａは、情報信号に書き込まれたＩＰアドレスが社内ＬＡＮのものと判断する（ルーティングテーブル参照）と、その情報信号を物理ポートＰ４００Ａを介して取得する。次に、顧客通信装置４００Ａは、取得した情報信号を社内ＬＡＮに接続された他の端末に送信する。ここで、社内ＬＡＮに接続された他の端末にＩＰアドレス（グローバルアドレス）が設定されていない場合には、顧客通信装置４００Ａが、情報信号に書き込まれた送信先ＩＰアドレスを社内ＬＡＮに接続された端末に付与されたプライベートアドレスに変換する機能（アドレス変換機能等）を有していればよい。
【０１４７】
（第２の実施形態）
この発明の第２の実施形態による通信システムの構成は、図１に示した構成と同様である。本実施形態による通信システムでは、通信網ＬVLANに送信される情報信号には拡張タグに加えてユーザタグも付加される。
【０１４８】
〔ユーザタグ〕
ユーザタグには、顧客通信装置の各々の間で互いに異なるユーザ識別子ＵＳＥＲ＿Ａ，ＵＳＥＲ＿Ｂ，ＵＳＥＲ＿Ｃと、顧客通信装置の各々の間で一致するユーザ識別子ＵＳＥＲ＿Ｄとが書き込まれる。
【０１４９】
顧客通信装置４００Ａには、ユーザ識別子ＵＳＥＲ＿Ａ，ＵＳＥＲ＿Ｄとが設定される。顧客通信装置４００Ｂには、ユーザ識別子ＵＳＥＲ＿Ｂ，ＵＳＥＲ＿Ｄが設定される。顧客通信装置４００Ｃには、ユーザ識別子ＵＳＥＲ＿Ｃ，ＵＳＥＲ＿Ｄが設定される。つまり、顧客通信装置４００Ａ，４００Ｂ，４００Ｃの各々には、互いに共通のユーザ識別子ＵＳＥＲ＿Ｄが設定される。ユーザ識別子ＵＳＥＲ＿Ａ，ＵＳＥＲ＿Ｂ，ＵＳＥＲ＿Ｃの各々は、互いに異なる識別子であり、顧客通信装置４００Ａ，４００Ｂ，４００Ｃに固有のユーザ識別子である。
【０１５０】
〔ルータＲ１００〕
ルータＲ１００は、ユーザ識別子対応テーブルを有する。また、ルータＲ１００は、通信網ＬVLANと通信網ＬISPとの間で情報信号を中継するときに、ユーザ識別子を示すユーザタグの付加，ユーザタグの識別，ユーザタグの取り外しをさらに行う。
【０１５１】
〔顧客通信装置〕
顧客通信装置４００Ａ，４００Ｂ，４００Ｃの各々は、情報信号を送信／受信するときに、ユーザタグの付加，ユーザタグの識別，ユーザタグの取り外しをさらに行う。
【０１５２】
＜ユーザ識別子対応テーブル＞
図１３のように、ユーザ識別子対応テーブルには、顧客通信装置４００Ａ，４００Ｂ，４００Ｃの各々に設定された外部用アドレスと、その顧客通信装置に設定されたユーザ識別子とが対応付けられている。
【０１５３】
＜顧客通信装置，収容スイッチにおける通信手順＞
次に、本実施形態における顧客通信装置４００Ａ，４００Ｂ，４００Ｃと収容スイッチ５００−Ａ，５００−Ｂ，５００−Ｃとによる情報信号の送信／受信の手順について説明する。なお、顧客通信装置４００Ａと収容スイッチ５００−Ａ，顧客通信装置４００Ｂと収容スイッチ５００−Ｂ，顧客通信装置４００Ｃと収容スイッチ５００−Ｃの各々では同様の通信手順が行われるので、代表して顧客通信装置４００Ａと収容スイッチ５００−Ａにおける通信手順について説明する。
【０１５４】
《顧客通信装置→通信網ＬVLAN》
図１４を参照しつつ、顧客通信装置４００Ａから通信網ＬVLANへ情報信号が送信される手順について説明する。なお、図１４に示す手順では、図４に示した手順のステップＳＴ１０４とステップＳＴ１０５との間にステップＳＴ２０１が行われ、ステップＳＴ１０７とステップＳＴ１０５との間にステップＳＴ２０２が行われる。
【０１５５】
〔ステップＳＴ１０１〜ＳＴ１０３〕
第１の実施形態と同様に、顧客通信装置４００Ａは、送信すべき情報ＤＡＴＡを作成し、送信先のＩＰアドレスを宛先アドレスとして情報信号に書き込み、その宛先アドレスに対応するＩＰアドレスをルーティングテーブルの中から選択する。
【０１５６】
〔ステップＳＴ１０４〕
次に、第１の実施形態と同様に、顧客通信装置４００Ａは、ステップＳＴ１０２において「通信網Ａ用アドレス」が選択されたと判断すると、自己に設定された（物理ポートＰ４００Ａに設定された）通信網Ａ用アドレスを送信元アドレスとして情報信号に書き込む。次にステップＳＴ２０１へ進む。
【０１５７】
〔ステップＳＴ２０１〕
次に、顧客通信装置４００Ａは、自己に設定されたユーザ識別子「ＵＳＥＲ＿Ｄ」を示すユーザタグをその情報信号に付加する。次に、ステップＳＴ１０５へ進む。
【０１５８】
〔ステップＳＴ１０７〕
一方、第１の実施形態と同様に、顧客通信装置４００Ａは、ステップＳＴ１０２において「通信網Ａ用アドレス」が選択されなかったと判断すると、自己に設定された（物理ポートＰ４００Ａに設定された）外部用アドレスを送信元アドレスとして情報信号に書き込む。次に、ステップＳＴ２０２へ進む。
【０１５９】
〔ステップＳＴ２０２〕
次に、顧客通信装置４００Ａは、自己に設定されているユーザ識別子「ＵＳＥＲ＿Ａ」を示すユーザタグをその情報信号に付加する。次に、ステップＳＴ１０５へ進む。
【０１６０】
〔ステップＳＴ１０５，ＳＴ１０６〕
次に、第１の実施形態と同様に、図４に示したステップＳＴ１０５，ＳＴ１０６における処理が行われる。これにより、拡張タグに加えてユーザタグも付加された情報信号が通信網ＬVLANに送信される。
【０１６１】
このように、顧客通信装置４００Ａ〜４００Ｃの各々は、情報信号を送信するときに、情報信号の宛先アドレスに応じたユーザ識別子を示すユーザタグをその情報信号に付加する。
【０１６２】
《通信網ＬVLAN→顧客通信装置》
図１５を参照しつつ、顧客通信装置４００Ａが通信網ＬVLANから情報信号を受信する手順について説明する。なお、図１５に示す手順では、図５に示した手順のステップＳＴ１１３とステップＳＴ１１４との間にステップＳＴ２１１，ＳＴ２１２が行われる。
【０１６３】
〔ステップＳＴ１１１〜ＳＴ１１３〕
まず、第１の実施形態と同様に、図５に示したステップＳＴ１１１〜ＳＴ１１３における処理が行われる。したがって、顧客通信装置４００Ａの物理ポートＰ４００Ａは、拡張タグがはずされた情報信号を受信する。次に、ステップＳＴ２１１へ進む。
【０１６４】
〔ステップＳＴ２１１〕
次に、顧客通信装置４００Ａは、物理ポートＰ４００Ａに受信された情報信号に付加されたユーザタグを参照して、情報信号を取得すべきか否かを判断する。詳しくは、顧客通信装置４００Ａは、ユーザタグに書き込まれたユーザ識別子とこの顧客通信装置４００Ａに設定されているユーザ識別子（ＵＳＥＲ＿ＡまたはＵＳＥＲ＿Ｄ）とが一致する場合にはステップＳＴ２１２へ進み、そうでない場合には受信した情報信号を破棄する。
【０１６５】
〔ステップＳＴ２１２〕
次に、顧客通信装置４００Ａは、物理ポートＰ４００Ａに受信された情報信号からユーザタグを取り外す。次に、ステップＳＴ１１４へ進む。
【０１６６】
〔ステップＳＴ１１４〕
次に、第１の実施形態と同様に、図５に示したステップＳＴ１１４における処理が行われる。これにより、顧客通信装置４００Ａは、ユーザタグが取り外された情報信号を取得する。
【０１６７】
このように、顧客通信装置４００Ａ〜４００Ｃの各々は、情報信号に付加されたユーザタグの識別子を参照して、情報信号の取得の要否を判断する。
【０１６８】
＜ルータＲ１００，収容スイッチにおける通信手順＞
次に、本実施形態におけるルータＲ１００および収容スイッチ５００−１による情報信号の中継の手順について説明する。なお、物理ポートＰ１００−Ａ，Ｐ１００−Ｂ，Ｐ１００−Ｃの各々に対する処理は同様であるので、物理ポートＰ１００−Ａに対する処理について説明する。
【０１６９】
《通信網ＬVLAN→通信網ＬISP》
図１６を参照しつつ、通信網ＬVLANから通信網ＬISPへ情報信号が中継される手順について説明する。なお、図１６に示す手順では、図６に示した手順のステップＳＴ１２３とステップＳＴ１２４との間に、ステップＳＴ２２１，ＳＴ２２２が行われる。
【０１７０】
〔ステップＳＴ１２１〜ＳＴ１２３〕
まず、第１の実施形態と同様に、図６に示したステップＳＴ１２１〜ＳＴ１２３における処理が行われる。したがって、ルータＲ１００の物理ポートＰ１００−Ａは、拡張タグが取り外された情報信号を受信する。次に、ステップＳＴ２２１へ進む。
【０１７１】
〔ステップＳＴ２２１〕
次に、ルータＲ１００は、ステップＳＴ１２３において物理ポートＰ１００−Ａに受信された情報信号のユーザタグのユーザ識別子を参照して、情報信号を中継すべきか否かを判断する。詳しくは、ルータＲ１００は、物理ポートＰ１００−Ａに受信された情報信号のユーザタグのユーザ識別子を、ユーザ識別子対応テーブルの中から検索する。ユーザ識別子を検出することができたならば、物理ポートＰ１００−Ａに受信された情報信号を取得してステップＳＴ２２２へ進み、検出することができなければその情報信号を破棄する。
【０１７２】
〔ステップＳＴ２２２〕
次に、ルータＲ１００は、ステップＳＴ１２３において物理ポートＰ１００−Ａに受信された情報信号からユーザタグを取り外す。次に、ステップＳＴ１２４へ進む。
【０１７３】
〔ステップＳＴ１２４，ＳＴ１２５〕
次に、第１の実施形態と同様に、図６に示したステップＳＴ１２４，ＳＴ１２５における処理が行われる。したがって、ルータＲ１００は、ユーザタグを取り外した情報信号の宛先アドレスに対応するＩＰアドレスをルーティングテーブルの中から選択し、ユーザタグを取り外した情報信号を、選択されたＩＰアドレスへ向けて送信する。
【０１７４】
このように、ルータＲ１００は、通信網ＬVLANから通信網ＬISPへ情報信号を中継するときに、ユーザタグのユーザ識別子を参照して、情報信号の中継の要否を判断する。
【０１７５】
《通信網ＬISP→通信網ＬVLAN》
図１７を参照しつつ、通信網ＬISPから通信網ＬVLANへ情報信号が中継される手順について説明する。なお、図１７に示す手順では、図７に示した手順のステップＳＴ１３２とステップＳＴ１３３との間にステップＳＴ２３１，ＳＴ２３２が行われる。
【０１７６】
〔ステップＳＴ１３１，ＳＴ１３２〕
まず、第１の実施形態と同様に、図７に示したステップＳＴ１３１，ＳＴ１３２における処理が行われる。したがって、ルータＲ１００は、物理ポートＰ１００−１に受信された情報信号の宛先アドレスに対応するＩＰアドレスをルーティングテーブルの中から選択する（ここでは、顧客通信装置４００Ａの外部用アドレスが選択される）。次に、ステップＳＴ２３１へ進む。
【０１７７】
〔ステップＳＴ２３１〕
次に、ルータＲ１００は、ルーティングテーブルの中から選択されたＩＰアドレスに対応するユーザ識別子を、ユーザ識別子対応テーブルの中から選択する。ここでは、「顧客通信装置４００Ａの外部用ＩＰアドレス」に対応するユーザ識別子「ＵＳＥＲ＿Ａ」が選択される。
【０１７８】
〔ステップＳＴ２３２〕
次に、ルータＲ１００は、ステップＳＴ２３１において選択されたユーザ識別子（ここでは、ユーザ識別子「ＵＳＥＲ＿Ａ」）を示すユーザタグを、ステップＳＴ１３１において物理ポートＰ１００−１に受信された情報信号に付加する。次に、ステップＳＴ１３３へ進む。
【０１７９】
〔ステップＳＴ１３３，ＳＴ１３４〕
次に、第１の実施形態と同様に、図７に示したステップＳＴ１３３，ＳＴ１３４における処理が行われる。したがって、ユーザタグが付加された情報信号がステップＳＴ１３２において選択されたＩＰアドレスへ向けて送信され、通信網ＬVLANには、拡張タグおよびユーザタグが付加された情報信号が送信される。
【０１８０】
このように、ルータＲ１００は、通信網ＬISPから通信網ＬVLANへ情報信号を中継するときに、情報信号の宛先アドレスに対応したユーザ識別子を示すユーザタグを情報信号に付加する。
【０１８１】
＜具体例＞
次に、本実施形態の通信システムによる通信手順について具体例を挙げて説明する。
【０１８２】
〔顧客通信装置４００Ａ  →  外部通信装置６００〕
まず、図１８を参照しつつ、顧客通信装置４００Ａから外部通信装置６００へ情報信号が送信される場合について説明する。
【０１８３】
第１の実施形態と同様に、顧客通信装置４００Ａは、外部通信装置のＩＰアドレス「172.16.12.23」を宛先アドレスとして情報信号に書き込み、顧客通信装置４００Ａの外部用アドレス「192.168.10.2」を送信元アドレスとして書き込む。また、顧客通信装置４００Ａは、ルーティングテーブルの中から宛先アドレス「172.16.12.23」に対応するＩＰアドレス（物理ポートＰ１００−ＡのＩＰアドレス「192.168.10.1」）を選択する。顧客通信装置４００Ａによって作成される情報信号は、図１８（Ａ）のようになる。
【０１８４】
また、情報信号の宛先アドレス「172.16.12.23」が通信網Ａ用アドレスではないので、顧客通信装置４００Ａは、自己に設定されたユーザ識別子「ＵＳＥＲ＿Ａ」を示すユーザタグを情報信号に付加する。顧客通信装置４００Ａから収容スイッチ５００−Ａへ送信される情報信号は、図１８（Ｂ）のようになる。
【０１８５】
次に、第１の実施形態と同様に、収容スイッチ５００−Ａは、自己に設定されたＶＬＡＮ識別子（ＶＬＡＮ＿ＩＤ）を示す拡張タグを情報信号に付加する。次に、収容スイッチ５００−Ａは、拡張タグおよびユーザタグを付加した情報信号を通信網ＬVLANに送信する。収容スイッチ５００−Ａから通信網ＬVLANへ送信される情報信号は、図１８（Ｃ）のようになる。
【０１８６】
次に、第１の実施形態と同様に、収容スイッチ５００−１は、通信網ＬVLANからの情報信号を受信する。ここで、情報信号に付加された拡張タグが示すＶＬＡＮ識別子「ＶＬＡＮ＿ＩＤ」と収容スイッチ５００−１に設定されたＶＬＡＮ識別子とが一致するので、収容スイッチ５００−１は、情報信号から拡張タグを取り外す。
【０１８７】
次に、第１の実施形態と同様に、ルータＲ１００の物理ポートＰ１００−Ａは、収容スイッチ５００−１からの情報信号を受信する。
【０１８８】
次に、ルータＲ１００は、物理ポートＰ１００−Ａに受信された情報信号のユーザタグの識別子「ＵＳＥＲ＿Ａ」をユーザ識別子対応テーブルの中から検出することができるので、情報信号からユーザタグを取り外す。次に、ルータＲ１００は、その情報信号の宛先アドレス「172.16.12.23」に対応するＩＰアドレス「次のルータＲ２００に設定されたＩＰアドレス」をルーティングテーブルの中から選択し、選択されたＩＰアドレスへ向けて情報信号を送信する。ルータＲ１００から通信網ＬISPへ送信される情報信号は、図１８（Ｄ）のようになる。
【０１８９】
次に、第１の実施形態と同様に、ルータＲ２００は、通信網ＬISPからの情報信号を受信し、その情報信号を通信網ＬNETへ送信する。次に、外部通信装置６００は、通信網ＬNETからの情報信号を受信する。
【０１９０】
〔外部通信装置６００  →  顧客通信装置４００Ａ〕
次に、図１９を参照しつつ、外部通信装置６００から顧客通信装置４００Ａへ情報信号が送信される場合について説明する。
【０１９１】
第１の実施形態と同様に、外部通信装置６００は、顧客通信装置４００ＡのＩＰアドレス「192.168.10.2」を宛先アドレスとして情報信号に書き込み、外部通信装置のＩＰアドレス「172.16.12.23」を送信元アドレスとして情報信号に書き込む。次に、外部通信装置６００は、通信網ＬNETに情報信号を送信する。ルータＲ２００は、通信網ＬNETからの情報信号を受信し、その情報信号を通信網ＬISPへ送信する。ルータＲ２００から通信網ＬISPへ送信される情報信号は、図１９（Ａ）のようになる。
【０１９２】
次に、第１の実施形態と同様に、ルータＲ１００は、通信網ＬISPからの情報信号を物理ポートＰ１００−１に受信し、受信された情報信号の宛先アドレス「192.168.10.2」に対応するＩＰアドレス（顧客通信装置４００Ａの外部用アドレス「192.168.10.2」）をルーティングテーブルの中から選択する。
【０１９３】
次に、ルータＲ１００は、選択されたＩＰアドレス「192.168.10.2」に対応するユーザ識別子「ＵＳＥＲ＿Ａ」をユーザ識別子対応テーブルの中から選択する。次に、ルータＲ１００は、選択されたユーザ識別子「ＵＳＥＲ＿Ａ」を示すユーザタグを情報信号に付加する。次に、ルータＲ１００は、ユーザタグを付加した情報信号を、ルーティングテーブルの中から選択されたＩＰアドレスへ向けて送信する。
【０１９４】
次に、第１の実施形態と同様に、収容スイッチ５００−１は、ルータＲ１００からの情報信号に対して、自己に設定されたＶＬＡＮ識別子（ＶＬＡＮ＿ＩＤ）を示す拡張タグを付加する。収容スイッチ５００−１から通信網ＬVLANへ送信される情報信号は、図１９（Ｂ）のようになる。
【０１９５】
次に、第１の実施形態と同様に、収容スイッチ５００−Ａは、通信網ＬVLANからの情報信号を受信する。ここで、情報信号に付加された拡張タグが示すＶＬＡＮ識別子「ＶＬＡＮ＿ＩＤ」と収容スイッチ５００−Ａに設定されたＶＬＡＮ識別子とが一致するので、収容スイッチ５００−Ａは、受信した情報信号から拡張タグを取り外す。
【０１９６】
次に、顧客通信装置４００Ａは、収容スイッチ５００Ａからの情報信号を物理ポートＰ４００Ａに受信する。次に、物理ポートＰ４００Ａに受信された情報信号に付加されたユーザタグが示すユーザ識別子「ＵＳＥＲ＿Ａ」と顧客通信装置４００Ａに設定されたユーザ識別子とが一致するので、顧客通信装置４００Ａは、物理ポートＰ４００Ａに受信された情報信号からユーザタグを取り外す。（図１９（Ｃ）参照）。
【０１９７】
また、情報信号に書き込まれた宛先アドレスが「192.168.10.2」であるので、顧客通信装置４００Ａは、受信した情報信号を取得する。
【０１９８】
〔顧客通信装置４００Ａ  →  顧客通信装置４００Ｂ〕
次に、図２０を参照しつつ、顧客通信装置４００Ａから顧客通信装置４００Ｂへ情報信号が送信される場合について説明する。
【０１９９】
第１の実施形態と同様に、顧客通信装置４００Ａは、顧客通信装置４００Ｂの通信網Ａ用アドレス「192.168.50.2」を宛先アドレスとして情報信号に書き込み、顧客通信装置４００Ａの通信網Ａ用アドレス「192.168.50.1」を送信元アドレスとして書き込む。顧客通信装置４００Ａによって作成される情報信号は、図２０（Ａ）のようになる。
【０２００】
次に、情報信号に書き込まれた宛先アドレス「192.168.50.2」が顧客通信装置４００Ｂの通信網Ａ用アドレスであるので、顧客通信装置４００Ａは、ユーザ識別子「ＵＳＥＲ＿Ｄ」を示すユーザタグを情報信号に付加する。顧客通信装置４００Ａから収容スイッチ５００−Ａに送信される情報信号は、図２０（Ｂ）のようになる。
【０２０１】
次に、第１の実施形態と同様に、収容スイッチ５００−Ａは、自己に設定されたＶＬＡＮ識別子「ＶＬＡＮ＿ＩＤ」を示す拡張タグを顧客通信装置４００Ａからの情報信号に付加する。次に、収容スイッチ５００−Ａは、拡張タグおよびユーザタグを付加した情報信号を通信網ＬVLANに送信する。収容スイッチ５００−Ａから通信網ＬVLANに送信される情報信号は、図２０（Ｃ）のようになる。
【０２０２】
次に、第１の実施形態と同様に、収容スイッチ５００−Ｂは、通信網ＬVLANからの情報信号を受信し、受信した情報信号から拡張タグを取り外す。
【０２０３】
次に、顧客通信装置４００Ｂは、収容スイッチ５００−Ｂからの情報信号を物理ポートＰ４００Ｂに受信する。次に、情報信号に付加されたユーザタグのユーザ識別子と顧客通信装置４００Ｂに設定されたユーザ識別子とが一致するので、顧客通信装置４００Ｂは、物理ポートＰ４００Ｂに受信された情報信号からユーザタグを取り外す（図２０（Ｄ）参照）。
【０２０４】
また、情報信号に書き込まれた宛先アドレスが「192.168.50.2」であるので、顧客通信装置４００Ｂは、物理ポートＰ４００Ｂに受信された情報信号を取得する。
【０２０５】
＜料金算出手順＞
サーバ３００は、第１の実施形態と同様に、収容スイッチ５００−Ａ，５００−Ｂ，５００−Ｃによって記録されたアクセス回線トラフィック量Traffic(CPU-A)，Traffic(CPU-B)，Traffic(CPU-C)を取得し、収容スイッチ５００−１によって記録された外部接続通信トラフィック量Traffic(Port-A)，Traffic(Port-B)，Traffic(Port-C)を取得して、外部接続（通信網ＬNETを利用する通信）の通信に対する通信料金と通信網ＬVLAN内の通信に対する通信料金とを別々に算出する。
【０２０６】
＜効果＞
以上のように、ユーザタグを情報信号に付加することによって、顧客Ａ，Ｂ，Ｃの各々を区別することができるので、顧客Ａ，Ｂ，Ｃの各々のセキュリティレベルを向上することができる。
【０２０７】
なお、以上の実施の形態の説明では、通信網ＬVLANに接続されている顧客通信装置は３つであるが、４つ以上であってもいいことは言うまでもない。つまり、１つの顧客通信装置に対して２つのネットワーク（通信網Ａ内通信経路，外部接続通信経路）が構築されておればいい。
【０２０８】
（第３の実施形態）
＜全体構成＞
図２１は、この発明の第３の実施形態による通信システムの全体構成を示す。このシステムでは、図１に示した通信網ＬVLANに代えて、通信回線ＬA，ＬB，ＬCが設けられている。また、このシステムは、図１に示したルータＲ１００，収容スイッチ５００−１，５００−Ａ〜５００−Ｃに代えて、ルータＲ１１０と、レイヤー２スイッチ５１０とを備える。その他の構成は図１と同様である。
【０２０９】
〔ユーザタグ〕
情報信号には、顧客通信装置の各々の間で互いに異なるユーザ識別子ＵＳＥＲ＿Ａ，ＵＳＥＲ＿Ｂ，ＵＳＥＲ＿Ｃと、顧客通信装置の各々の間で一致するユーザ識別子ＵＳＥＲ＿Ｄとが書き込まれる。
【０２１０】
顧客通信装置４００Ａには、ユーザ識別子ＵＳＥＲ＿Ａ，ＵＳＥＲ＿Ｄとが設定される。顧客通信装置４００Ｂには、ユーザ識別子ＵＳＥＲ＿Ｂ，ＵＳＥＲ＿Ｄが設定される。顧客通信装置４００Ｃには、ユーザ識別子ＵＳＥＲ＿Ｃ，ＵＳＥＲ＿Ｄが設定される。つまり、顧客通信装置４００Ａ，４００Ｂ，４００Ｃの各々には、互いに共通のユーザ識別子ＵＳＥＲ＿Ｄが設定される。ユーザ識別子ＵＳＥＲ＿Ａ，ＵＳＥＲ＿Ｂ，ＵＳＥＲ＿Ｃの各々は、互いに異なる識別子であり、顧客通信装置４００Ａ，４００Ｂ，４００Ｃに固有のユーザ識別子である。
【０２１１】
〔通信回線〕
通信回線ＬAは、顧客通信装置４００Ａの物理ポートＰ４００Ａとレイヤー２スイッチ５１０とを結ぶ。通信回線ＬBは、顧客通信装置４００Ｂの物理ポートＰ４００Ｂとレイヤー２スイッチ５１０とを結ぶ。通信回線ＬCは、レイヤー２スイッチ４０１Ｃとレイヤー２スイッチ５１０とを結ぶ。
【０２１２】
〔顧客通信装置〕
顧客通信装置４００Ａの物理ポートＰ４００Ａには、通信回線用のＩＰアドレス（以下、通信回線用アドレスと記載する。）と外部用アドレスとの２つのＩＰアドレスが設定されている。顧客通信装置４００Ｂの物理ポートＰ４００Ｂには、通信回線用アドレスと外部用アドレスとの２つのＩＰアドレスが設定されている。顧客通信装置４００Ｃの物理ポートＰ４００Ｃ−１には通信回線用アドレスが設定されており、顧客通信装置４００Ｃの物理ポートＰ４００Ｃ−２には外部用アドレスが設定されている。
【０２１３】
〔ルータＲ１１０〕
ルータＲ１１０は、通信網ＬISPと通信回線ＬA，ＬB，ＬCとの間に物理的に接続されて、情報信号を中継する。ルータＲ１１０は、ユーザタグの識別，ユーザタグの付加，ユーザタグの取り外し等を実行する。また、ルータＲ１１０は、ユーザ識別子対応テーブルを有する。
【０２１４】
さらに、ルータＲ１１０は、中継した情報信号のトラフィック量をカウントして、そのカウントしたトラフィック量をユーザ識別子ＵＳＥＲ＿Ａ，ＵＳＥＲ＿Ｂ，ＵＳＥＲ＿Ｃ毎に記録する（図２２参照）。外部接続トラフィック量Traffic(USER-A)はユーザ識別子ＵＳＥＲ＿Ａに対応する。また、ユーザ識別子ＵＳＥＲ＿Ａは、顧客通信装置４００Ａに固有に設定された識別子であるので、外部接続トラフィック量Traffic(USER-A)は顧客通信装置４００Ａに対応する。同様に、外部接続トラフィック量Traffic(USER-B)はユーザ識別子ＵＳＥＲ＿Ｂに対応し、外部接続トラフィック量Traffic(USER-C)はユーザ識別子ＵＳＥＲ＿Ｃに対応する。このように、外部接続トラフィック量をユーザ識別子毎に記録することによって、顧客通信装置４００Ａ，４００Ｂ，４００Ｃの各々の外部接続トラフィック量を記録することができる。
【０２１５】
〔レイヤー２スイッチ〕
レイヤー２スイッチ５１０は、ユーザタグの検出，ＭＡＣパケットの解析，通信回線の選択，トラフィック量のカウント等を行う。また、レイヤー２スイッチ５１０は、４００Ａ，４００Ｂ，４００Ｃの各々に設定されたユーザ識別子「ＵＳＥＲ＿Ａ」，「ＵＳＥＲ＿Ｂ」，「ＵＳＥＲ＿Ｃ」を記憶する。さらに、レイヤー２スイッチ５１０は、通信回線対応テーブルを有する。
【０２１６】
また、レイヤー２スイッチ５１０は、顧客通信装置４００Ａ，４００Ｂ，４００Ｃの各々が送信／受信した情報信号のトラフィック量を顧客通信装置毎に記録する。
【０２１７】
〔サーバ〕
サーバ３００は、ルータＲ１１０およびレイヤー２スイッチ５１０の各々が記憶するトラフィック量を取得する。
【０２１８】
＜仮想ネットワークについて＞
次に、顧客通信装置４００Ａ，４００Ｂ，４００Ｃの各々が属する第１の仮想ネットワークと、ルータＲ１１０と顧客通信装置４００Ａ，４００Ｂ，４００Ｃの各々との間に構築される第２の仮想ネットワークとについて説明する。
【０２１９】
ここで、図２４を参照して、ルータＲ１１０，顧客通信装置４００Ａ，４００Ｂ，４００Ｃの各々に設定されるＩＰアドレスについて説明する。
【０２２０】
顧客通信装置４００Ａの物理ポートＰ４００Ａには、通信回線用アドレスと外部用アドレスとの２つのＩＰアドレスが設定される。顧客通信装置４００Ｂの物理ポートＰ４００Ｂには、顧客通信装置４００Ａと同様に、通信回線用アドレスと外部用アドレスとの２つのＩＰアドレスが設定される。顧客通信装置４００Ｃの物理ポートＰ４００Ｃ−１には、通信回線用アドレスが設定される。また、顧客通信装置４００Ｃの物理ポートＰ４００Ｃ−２には、外部用アドレスが設定される。
【０２２１】
ルータＲ１１０には、通信回線側に１つの物理ポートＰ１１０が設けられ、通信網ＬISP側に１つの物理ポートＰ１２１が設けられる。物理ポートＰ１１１には３つのＩＰアドレス（ＩＰアドレス（Ａ），ＩＰアドレス（Ｂ），ＩＰアドレス（Ｃ））が設定されており、物理ポートＰ１２１には１つのＩＰアドレスが設定されている。
【０２２２】
物理ポートＰ１２１に設定されたＩＰアドレスは、通信網ＬISP（通信網Ｂ）において次に情報信号を送信すべきルータ（ここでは、ルータＲ２００）に設定されたＩＰアドレス（図示せず）と、ネットワークアドレス部分が一致する。
【０２２３】
顧客通信装置４００Ａ，４００Ｂ，４００Ｃの各々の物理ポートに設定された通信回線用アドレスは、互いにネットワークアドレス部分が一致している。このようにＩＰアドレスを設定することにより、顧客通信装置４００Ａ，４００Ｂ，４００Ｃの各々は第１の仮想ネットワークに属していることになる。つまり、顧客通信装置４００Ａ，４００Ｂ，４００Ｃの各々に設定された通信回線用アドレスは、第１の仮想ネットワークに対応するネットワークアドレスを有する。
【０２２４】
また、顧客通信装置４００Ａの物理ポートＰ４００Ａに設定された外部用アドレスは、物理ポートＰ１１１に設定されたＩＰアドレス（Ａ）とネットワークアドレスが一致する。このようにＩＰアドレスを設定することによって、顧客通信装置４００Ａと物理ポートＰ１１１とは、同一の仮想ネットワーク（第２の仮想ネットワーク）に属していることになる。つまり、顧客通信装置４００Ａに設定された外部用アドレスは顧客通信装置４００Ａが属する第２の仮想ネットワークに対応するネットワークアドレスを有し、物理ポートＰ１１１に設定されたＩＰアドレス（Ａ）は顧客通信装置４００Ａが属する第２の仮想ネットワークに対応するネットワークアドレスを有する。
【０２２５】
また、顧客通信装置４００Ｂの物理ポートＰ４００Ｂに設定された外部用アドレスは、物理ポートＰ１１１に設定されたＩＰアドレス（Ｂ）とネットワークアドレスが一致する。同様に、顧客通信装置４００Ｃの物理ポートＰ４００Ｃに設定された外部用アドレスは、物理ポートＰ１１１に設定されたＩＰアドレス（Ｃ）とネットワークアドレスが一致する。
【０２２６】
このように、顧客通信装置４００Ａ，４００Ｂ，４００Ｃの各々とルータＲ１００との間には、第２の仮想ネットワークが構築されていることになる。
【０２２７】
＜ルーティングテーブル＞
〔顧客通信装置のルーティングテーブル〕
顧客通信装置４００Ａ，４００Ｂ，４００Ｃは、ルーティングテーブルを有する。ルーティングテーブルには、ネットワークアドレスとＩＰアドレスとが対応付けられている。ＩＰアドレスは、情報信号を次に送信すべき装置に設定されたＩＰアドレスを示す。
【０２２８】
詳しく述べると、「第１の仮想ネットワークに対応するネットワークアドレス」には「情報信号の宛先アドレス」が対応付けられており、「その他（つまり、第１の仮想ネットワークに対応するネットワークアドレス以外）」には「物理ポートＰ１１１に設定されたＩＰアドレスのうち顧客通信装置に対応するＩＰアドレス」が対応付けられている。
【０２２９】
図２４のように、図２１に示した顧客通信装置４００Ａが有するルーティングテーブルには、「第１の仮想ネットワークに対応するネットワークアドレス」と「情報信号の宛先アドレス」とが対応付けられており、「その他」と「物理ポートＰ１１１に設定されたＩＰアドレス（Ａ）」とが対応付けられている。
【０２３０】
〔ルータＲ１１０のルーティングテーブル〕
ルータＲ１１０は、図３Ｂに示したルーティングテーブルを有する。
【０２３１】
＜ユーザ識別子対応テーブル＞
ルータＲ１１０は、図１３に示したユーザ識別子対応テーブルを有する。
【０２３２】
＜通信回線対応テーブル＞
レイヤー２スイッチ５１０は、通信回線対応テーブルを有する。図２５のように、レイヤー２スイッチ５１０に格納された通信回線対応テーブルには、顧客通信装置４００Ａ，４００Ｂ，４００Ｃの各々に設定されたユーザ識別子「ＵＳＥＲ＿Ａ」，「ＵＳＥＲ＿Ｂ」，「ＵＳＥＲ＿Ｃ」と顧客通信装置４００Ａ，４００Ｂ，４００Ｃの各々に接続された通信回線ＬA，ＬB，ＬCとが対応付けられている。
【０２３３】
＜顧客通信装置における通信手順＞
次に、図２１に示した顧客通信装置４００Ａ〜４００Ｃによる情報信号の送信／受信の手順について説明する。なお、顧客通信装置４００Ａ〜４００Ｃの各々では同様の通信手順が行われるので、代表として顧客通信装置４００Ａによる通信手順について説明する。
【０２３４】
《顧客通信装置→通信回線》
図２６を参照しつつ、顧客通信装置４００Ａから通信回線ＬAへ情報信号が送信される手順について説明する。
【０２３５】
〔ステップＳＴ３０１〕
顧客通信装置４００Ａは、送信すべき情報ＤＡＴＡを作成する。次に、顧客通信装置４００Ａは、送信先のＩＰアドレスを宛先アドレスとして情報信号に書き込む。
【０２３６】
〔ステップＳＴ３０２〕
次に、顧客通信装置４００Ａは、情報信号の宛先アドレスに対応するＩＰアドレスを、自己に格納されたルーティングテーブル（図３Ａ参照）の中から選択する。詳しくは、顧客通信装置４００Ａは、宛先アドレスのネットワークアドレスをルーティングテーブルの中から検索し、検出したネットワークアドレスに対応するＩＰアドレスを選択する。つまり、第１の仮想ネットワークに属する「他の顧客通信装置に設定された通信回線用アドレス」および第２の仮想ネットワークに属する「物理ポートＰ１１１のＩＰアドレス（Ａ）」のうちいずれか一方を選択する。
【０２３７】
〔ステップＳＴ３０３〕
次に、顧客通信装置４００Ａは、ステップＳＴ３０２において選択されたＩＰアドレスが「通信回線用アドレス」であるか否かを判断する。つまり、顧客通信装置４００Ａは、情報信号の宛先アドレスのネットワークアドレスが「第１の仮想ネットワークに対応するネットワークアドレス」であるか否かを判断する。選択されたＩＰアドレスが「通信回線用アドレス」である場合（例えば、「顧客通信装置４００Ｂの通信回線用アドレス」である場合）にはステップＳＴ３０４へ進み、そうでない場合にはステップＳＴ３０７へ進む。
【０２３８】
〔ステップＳＴ３０４〕
次に、顧客通信装置４００Ａは、自己に設定された（物理ポートＰ４００Ａに設定された）通信回線用アドレスを送信元アドレスとして情報信号に書き込む。
【０２３９】
〔ステップＳＴ３０５〕
次に、顧客通信装置４００Ａは、自己に設定されたユーザ識別子「ＵＳＥＲ＿Ｄ」を示すユーザタグを情報信号に付加する。
【０２４０】
〔ステップＳＴ３０６〕
次に、顧客通信装置４００Ａは、宛先アドレスおよび送信元アドレスが書き込まれユーザタグが付加された情報信号を、ステップＳＴ３０２において選択されたＩＰアドレスへ向けて送信する。
【０２４１】
〔ステップＳＴ３０７〕
一方、ステップＳＴ３０２において選択されたＩＰアドレスが「通信回線用アドレス」ではないと判断すると、顧客通信装置４００Ａは、自己に設定された（物理ポートＰ４００Ａに設定された）外部用アドレスを送信元アドレスとして情報信号に書き込む。次に、ステップＳＴ３０８へ進む。
【０２４２】
〔ステップＳＴ３０８〕
次に、顧客通信装置４００Ａは、自己に設定されたユーザ識別子「ＵＳＥＲ＿Ａ」を示すユーザタグを情報信号に付加する。次に、ステップＳＴ３０６へ進む。
【０２４３】
このように、顧客通信装置４００Ａ〜４００Ｃの各々は、情報信号の送信先に応じて、「第１の仮想ネットワーク」および「第２の仮想ネットワーク」のうちいずれか一方を介して情報信号を送信する。また、顧客通信装置４００Ａ〜４００Ｃの各々は、情報信号の送信先に応じて、ユーザタグを付加する。
【０２４４】
《通信回線→顧客通信装置》
図２７を参照しつつ、通信回線ＬAから顧客通信装置４００Ａへ情報信号が送信される手順について説明する。ここで、情報信号は、顧客通信装置４００Ａの「通信回線用アドレス」および「外部用アドレス」のうちいずれか一方へ向けて送信されたものである。
【０２４５】
〔ステップＳＴ３１１〕
まず、顧客通信装置４００Ａの物理ポートＰ４００Ａは、通信回線ＬAからの情報信号を受信する。ここで、情報信号が顧客通信装置４００Ａの「通信回線用アドレス」へ向けて送信された情報信号である場合には、第１の仮想ネットワーク介して送信された情報信号を受信したことになり、情報信号が顧客通信装置４００Ａの「外部用アドレス」へ向けて送信された情報信号である場合には、第２の仮想ネットワーク介して送信された情報信号を受信したことになる。
【０２４６】
〔ステップＳＴ３１２〕
次に、顧客通信装置４００Ａは、物理ポートＰ４００Ａに受信された情報信号に付加されたユーザタグを参照して、情報信号を取得すべきか否かを判断する。詳しくは、顧客通信装置４００Ａは、ユーザタグに書き込まれたユーザ識別子とこの顧客通信装置４００Ａに設定されているユーザ識別子（ＵＳＥＲ＿ＡまたはＵＳＥＲ＿Ｄ）とが一致する場合にはステップＳＴ３１３へ進み、そうでない場合には受信した情報信号を破棄する。
【０２４７】
〔ステップＳＴ３１３〕
次に、顧客通信装置４００Ａは、物理ポートＰ４００Ａに受信された情報信号からユーザタグを取り外す。
【０２４８】
〔ステップＳＴ３１４〕
次に、顧客通信装置４００Ａは、ユーザタグが取り外された情報信号を取得する。
【０２４９】
このように、顧客通信装置４００Ａ〜４００Ｃの各々は、「第１の仮想ネットワーク」および「第２の仮想ネットワーク」のうちいずれか一方を介して情報信号を受信する。また、顧客通信装置４００Ａ〜４００Ｃの各々は、情報信号に付加されたユーザタグの識別子を参照して、情報信号の取得の要否を判断する。
【０２５０】
《レイヤー２スイッチによるトラフィック量の記録》
レイヤー２スイッチ５１０は、通信回線ＬAから受信した情報信号のトラフィック量および通信回線ＬAへ送信した情報信号のトラフィック量をカウントし、そのカウント値を顧客通信装置４００Ａのアクセス回線トラフィック量Traffic(CPU-A)として記録する。
【０２５１】
また、レイヤー２スイッチ５１０は、通信回線ＬB（ＬC）から受信した情報信号のトラフィック量および通信回線ＬB（ＬC）へ送信した情報信号のトラフィック量をカウントし、そのカウント値を顧客通信装置４００Ｂ（ＣＰＵ４００Ｃ）のアクセス回線トラフィック量Traffic(CPU-B)（Traffic(CPU-C)）として記録する。
【０２５２】
＜ルータ，レイヤー２スイッチにおける通信手順＞
次に、図２１に示したルータＲ１１０およびレイヤー２スイッチ５１０による情報信号の中継の手順について説明する。なお、通信回線ＬA，ＬB，ＬCの各々に対する処理は同様であるので、通信回線ＬAに対する処理について説明する。
【０２５３】
《通信回線→通信網ＬISP》
図２８を参照しつつ、通信回線ＬAから通信網ＬISPへ情報信号が中継される手順について説明する。ここで、情報信号は、顧客通信装置４００Ａから物理ポートＰ１１０のＩＰアドレス（Ａ）へ向けて送信されたものである。
【０２５４】
〔ステップＳＴ３２１〕
まず、レイヤー２スイッチ５１０は、通信回線ＬAからの情報信号を受信する。
【０２５５】
〔ステップＳＴ３２２〕
次に、レイヤー２スイッチ５１０は、受信した情報信号のユーザタグが示すユーザ識別子を参照する。ユーザタグが「ＵＳＥＲ＿Ｄ」を示していない場合（ユーザ識別子「ＵＳＥＲ＿Ａ」を示す場合）にはステップＳＴ３２３へ進む。ユーザタグが「ＵＳＥＲ＿Ｄ」を示す場合には、ステップＳＴ３２９へ進む。
【０２５６】
〔ステップＳＴ３２３〕
次に、レイヤー２スイッチ５１０は、ユーザタグが付加された情報信号をルータＲ１１０へ送信する。
【０２５７】
〔ステップＳＴ３２４〕
次に、ルータＲ１１０の物理ポートＰ１１１は、レイヤー２スイッチ５１０からの情報信号を受信する。つまり、物理ポートＰ１１１は、顧客通信装置４００Ａから第２の仮想ネットワークを介して送信された情報信号を受信したことになる。
【０２５８】
〔ステップＳＴ３２５〕
次に、ルータＲ１１０は、物理ポートＰ１１１に受信された情報信号のユーザタグのユーザ識別子を参照して、情報信号を中継すべきか否かを判断する。詳しくは、ルータＲ１１０は、物理ポートＰ１１１に受信された情報信号のユーザタグのユーザ識別子をユーザ識別子対応テーブルの中から検索する。ユーザ識別子を検出することができたならば、物理ポートＰ１１１に受信された情報信号を取得してステップＳＴ３２６へ進み、検出することができなければその情報信号を破棄する。
【０２５９】
〔ステップＳＴ３２６〕
次に、ルータＲ１１０は、ステップＳＴ３２４において物理ポートＰ１１１に受信された情報信号からユーザタグを取り外す。
【０２６０】
〔ステップＳＴ３２７〕
次に、ルータＲ１１０は、ユーザタグが取り外された情報信号の宛先アドレスに対応するＩＰアドレスを、自己に格納するルーティングテーブル（図３Ｂ参照）の中から選択する。詳しくは、ルータＲ１００は、ルーティングテーブルの中から宛先アドレスのネットワークアドレスと一致するネットワークアドレスを検索し、検出したネットワークアドレスに対応するＩＰアドレスを選択する。ここで、情報信号は顧客通信装置４００Ａから「物理ポートＰ１１１のＩＰアドレス（Ａ）」へ向けて送信されているので、情報信号の宛先アドレスのネットワークアドレスは「その他」に該当する。よって、「次のルータＲ２００に設定されたＩＰアドレス」が選択される。
【０２６１】
〔ステップＳＴ３２８〕
次に、ルータＲ１００は、ステップＳＴ３２６においてユーザタグが取り外された情報信号を、ステップＳＴ３２７において選択されたＩＰアドレスへ向けて送信する。ここで、物理ポートＰ１２１に設定されたＩＰアドレスのネットワークアドレスは「次のルータＲ２００に設定されたＩＰアドレス」のネットワークアドレスと一致するので、情報信号は、物理ポートＰ１２１を介して通信網Ｂ（通信網ＬISP）へ送信される。
【０２６２】
〔ステップＳＴ３２９〕
一方、ステップＳＴ３２２においてユーザタグがユーザ識別子「ＵＳＥＲ＿Ｄ」を示すと判断すると、レイヤー２スイッチ５１０は、情報信号のＭＡＣヘッダを参照して、通信回線ＬA〜ＬCのうちいずれかに情報信号を送信する。
【０２６３】
このように、ルータＲ１１０は、顧客通信装置４００Ａ〜４００Ｂの各々から第２の仮想ネットワークを介して受信した情報信号を通信網Ｂへ送信する。また、レイヤー２スイッチ５１０は、通信回線ＬAから通信網ＬISPへ情報信号を中継するときに、ユーザタグが示すユーザ識別子に応じて、情報信号の中継の要否を判断する。
【０２６４】
《通信網ＬISP→通信回線》
図２９を参照しつつ、通信網ＬISPから通信回線ＬAへ情報信号が中継される手順について説明する。なお、ここでは、情報信号の宛先アドレスには「顧客通信装置４００Ａの外部用アドレス」が書き込まれているものとする。
【０２６５】
〔ステップＳＴ３３１〕
まず、ルータＲ１１０の物理ポートＰ１２１は、通信網Ｂ（通信網ＬISP）からの情報信号を受信する。つまり、ルータＲ１１０は、顧客通信装置４００Ａへ送信すべき情報信号を受信したことになる。
【０２６６】
〔ステップＳＴ３３２〕
次に、ルータＲ１１０は、物理ポートＰ１２１に受信された情報信号の宛先アドレスに対応するＩＰアドレスを、自己に格納されたルーティングテーブル（図３Ｂ参照）の中から選択する。ここでは、「顧客通信装置４００Ａの外部用アドレス」が選択される。つまり、顧客通信装置４００Ａが属する第２の仮想ネットワークが選択されたことになる。
【０２６７】
〔ステップＳＴ３３３〕
次に、ルータＲ１１０は、ルーティングテーブルの中から選択されたＩＰアドレスに対応するユーザ識別子を、ユーザ識別子対応テーブルの中から選択する。ここでは、「顧客通信装置４００Ａの外部用ＩＰアドレス」に対応するユーザ識別子「ＵＳＥＲ＿Ａ」が選択される。
【０２６８】
〔ステップＳＴ３３４〕
次に、ルータＲ１１０は、ステップＳＴ３３３において選択されたユーザ識別子（ここでは、ユーザ識別子「ＵＳＥＲ＿Ａ」）を示すユーザタグを、ステップＳＴ３３１において物理ポートＰ１２１に受信された情報信号に付加する。
【０２６９】
〔ステップＳＴ３３５〕
次に、ルータＲ１１０は、ユーザタグが付加された情報信号を、ステップＳＴ３３２において選択されたＩＰアドレスへ向けて送信する。なお、物理ポートＰ１１１に設定されたＩＰアドレス（Ａ）のネットワークアドレスは「顧客通信装置４００Ａに設定された外部用アドレス」のネットワークアドレスと一致するので、情報信号は、物理ポートＰ１１１を介して送信される。
【０２７０】
〔ステップＳＴ３３６〕
次に、レイヤー２スイッチ５１０は、ルータＲ１１０からの情報信号を受信する。
【０２７１】
〔ステップＳＴ３３７〕
次に、レイヤー２スイッチ５１０は、情報信号に付加されたユーザタグが示すユーザ識別子（ここでは、「ＵＳＥＲ＿Ａ」）に応じた通信回線を、通信回線対応テーブルの中から選択する。ここでは、通信回線ＬAが選択される。
【０２７２】
〔ステップＳＴ３３８〕
次に、レイヤー２スイッチ５１０は、ステップＳＴ３３６において受信された情報信号を、ステップＳＴ３３７において選択された通信回線（通信回線ＬA）へ送信する。
【０２７３】
このように、ルータＲ１１０は、通信網ＬISPから情報信号を受信すると、その情報信号を送信すべき顧客通信装置が属する第２の仮想ネットワークを介して情報信号を送信する。また、ルータＲ１１０は、情報信号の宛先アドレスに対応するユーザ識別子を示すユーザタグをその情報信号に付加する。また、レイヤー２スイッチ５１０は、情報信号に付加されたユーザタグが示すユーザ識別子を参照して、その情報信号を通信回線ＬA〜ＬCへ送信する。
【０２７４】
＜ルータＲ１１０によるトラフィック量の記録＞
ルータＲ１１０は、通信網ＬISPとレイヤー２スイッチ５１０との間で情報信号を中継したときに、その情報信号に付加されたユーザタグが示すユーザ識別子を参照して、顧客通信装置４００Ａの外部接続通信トラフィック量Traffic(USER-A)，顧客通信装置４００Ｂの外部接続通信トラフィック量Traffic(USER-B)，および顧客通信装置４００Ｃの外部接続通信トラフィック量Traffic(USER-C)を記録する。例えば、ルータＲ１１０は、通信網ＬISPとレイヤー２スイッチ５１０と間でユーザ識別子「ＵＳＥＲ＿Ａ」を示すユーザタグが付加された情報信号を中継したときに、その情報信号のトラフィック量をカウントし、そのカウント値を顧客通信装置４００Ａの外部接続通信トラフィック量Traffic(USER-A)として記録する。
【０２７５】
＜具体例＞
次に、図２１に示した通信システムによる通信手順について具体例を挙げて説明する。なお、ここでは、
物理ポートＰ１１１
ＩＰアドレス（Ａ）：「192.168.10.1」
ＩＰアドレス（Ｂ）：「192.168.20.1」
ＩＰアドレス（Ｃ）：「192.168.30.1」
物理ポートＰ４００Ａ：    外部用アドレス「192.168.10.2」
通信回線用アドレス「192.168.50.1」
物理ポートＰ４００Ｂ：    外部用アドレス「192.168.20.2」
通信回線用アドレス「192.168.50.2」
物理ポートＰ４００Ｃ：    外部用アドレス「192.168.30.2」
通信回線用アドレス「192.168.50.3」
外部通信装置のＩＰアドレス：「172.16.12.23」
であるものとする。つまり、
第１の仮想ネットワークに対応するネットワークアドレスは「192.168.50」であり、
顧客通信装置４００Ａが属する第２の仮想ネットワークに対応するネットワークアドレスは「192.168.10」であり、
顧客通信装置４００Ｂが属する第２の仮想ネットワークに対応するネットワークアドレスは「192.168.20」であり、
顧客通信装置４００Ｃが属する第２の仮想ネットワークに対応するネットワークアドレスは「192.168.30」である。
【０２７６】
〔顧客通信装置４００Ａ  →  外部通信装置６００〕
まず、図３０を参照しつつ、顧客通信装置４００Ａから外部通信装置６００へ情報信号が送信される場合について説明する。
【０２７７】
第１の実施形態と同様に、顧客通信装置４００Ａは、外部通信装置６００のＩＰアドレス「172.16.12.23」を宛先アドレスとして情報信号に書き込み、顧客通信装置４００Ａの外部用アドレス「192.168.10.2」を送信元アドレスとして書き込む。顧客通信装置４００Ａによって作成される情報信号は、図３０（Ａ）のようになる。
【０２７８】
また、顧客通信装置４００Ａは、ルーティングテーブルの中から宛先アドレスに対応するＩＰアドレス（物理ポートＰ１１１のＩＰアドレス（Ａ））を選択する。選択されたＩＰアドレスが通信回線用アドレスではないので、顧客通信装置４００Ａは、自己に設定されたユーザ識別子「ＵＳＥＲ＿Ａ」を示すユーザタグを情報信号に付加する。顧客通信装置４００Ａから通信回線ＬAに送信される情報信号は、図３０（Ｂ）のようになる。
【０２７９】
次に、レイヤー２スイッチ５１０は、通信回線ＬAからの情報信号を受信する。次に、レイヤー２スイッチ５１０は、受信した情報信号のユーザタグがユーザ識別子「ＵＳＥＲ＿Ｄ」を示さないので、受信した情報信号をルータＲ１１０へ送信する。ルータＲ１１０は、受信した情報信号ユーザタグがユーザ識別子「ＵＳＥＲ＿Ａ」を示すので、情報信号からユーザタグを外す。次に、ルータＲ１１０は、ユーザタグをはずした情報信号を通信網ＬISPへ送信する。ルータＲ１１０から通信網ＬISPへ送信される情報信号は、図３０（Ｃ）のようになる。
【０２８０】
次に、第１の実施形態と同様に、ルータＲ２００は、通信網ＬISPからの情報信号を受信し、その情報信号を通信網ＬNETへ送信する。次に、外部通信装置６００は、通信網ＬNETからの情報信号を受信する。
【０２８１】
〔外部通信装置６００  →  顧客通信装置４００Ａ〕
次に、図３１を参照しつつ、外部通信装置６００から顧客通信装置４００Ａへ情報信号が送信される場合について説明する。
【０２８２】
まず、第１の実施形態と同様に、外部通信装置６００は、顧客通信装置４００Ａの外部用アドレス「192.168.10.2」を宛先アドレスとして情報信号に書き込み、外部通信装置のＩＰアドレス「172.16.12.23」を送信元アドレスとして情報信号に書き込む。外部通信装置６００は、通信網ＬNETに情報信号を送信する。ルータＲ２００は、通信網ＬNETからの情報信号を受信し、その情報信号を通信網ＬISPへ送信する。ルータＲ２００から通信網ＬISPに送信される情報信号は、図３１（Ａ）のようになる。
【０２８３】
次に、ルータＲ１１０は、通信網ＬISPからの情報信号を物理ポートＰ１２１に受信する。ここで、ルータＲ１１０は、ルーティングテーブルの中から情報信号の宛先アドレス「192.168.10.2」に対応するＩＰアドレス（顧客通信装置４００Ａの外部用アドレス「192.168.10.2」）を選択する。
【０２８４】
次に、ルータＲ１１０は、選択されたＩＰアドレス（顧客通信装置４００Ａの外部用アドレス「192.168.10.2」）に対応するユーザ識別子「ＵＳＥＲ＿Ａ」をユーザ識別子対応テーブルの中から選択する。次に、ルータＲ１１０は、選択されたユーザ識別子「ＵＳＥＲ＿Ａ」を示すユーザタグを情報信号に付加する。次に、ルータＲ１１０は、ユーザタグが付加された情報信号を、選択されたＩＰアドレス（顧客通信装置４００Ａの外部用アドレス「192.168.10.2」）へ向けて送信する。
【０２８５】
次に、レイヤー２スイッチ５１０は、ルータＲ１１０からの情報信号のユーザタグが示すユーザ識別子「ＵＳＥＲ＿Ａ」に対応する通信回線（通信回線ＬA）を通信回線対応テーブルの中から選択する。次に、レイヤー２スイッチ５１０は、選択された通信回線（通信回線ＬA）へ情報信号を送信する。レイヤー２スイッチ５１０から通信回線ＬAに送信される情報信号は、図３１（Ｂ）のようになる。
【０２８６】
次に、顧客通信装置４００Ａの物理ポートＰ４００Ａは、通信回線ＬAからの情報信号を受信する。次に、情報信号に付加されたユーザタグが示すユーザ識別子「ＵＳＥＲ＿Ａ」と顧客通信装置４００Ａに設定されたユーザ識別子とが一致するので、顧客通信装置４００Ａは、物理ポートＰ４００Ａに受信された情報信号からユーザタグを取り外す。（図３１（Ｃ）参照）。
【０２８７】
また、情報信号に書き込まれた宛先アドレス「192.168.10.2」が顧客４００Ａの外部用アドレスであるので、顧客通信装置４００Ａは、受信した情報信号を取得する。
【０２８８】
〔顧客通信装置４００Ａ  →  顧客通信装置４００Ｂ〕
次に、図３２を参照しつつ、顧客通信装置４００Ａから顧客通信装置４００Ｂへ情報信号が送信される場合について説明する。
【０２８９】
顧客通信装置４００Ａは、顧客通信装置４００Ｂの通信回線用アドレス「192.168.50.2」を宛先アドレスとして情報信号に書き込み、顧客通信装置４００Ａの通信回線用アドレス「192.168.50.1」を送信元アドレスとして書き込む。顧客通信装置４００Ａによって作成された情報信号は、図３２（Ａ）のようになる。
【０２９０】
次に、顧客通信装置４００Ａは、情報信号の宛先アドレスが通信回線用アドレス「192.168.50.2」であるので、ユーザ識別子ＵＳＥＲ＿Ｄを示すユーザタグを情報信号に付加し、情報信号を通信回線ＬAに送信する。顧客通信装置４００Ａから通信回線ＬAに送信される情報信号は、図３２（Ｂ）のようになる。
【０２９１】
次に、レイヤー２スイッチ５１０は、通信回線ＬAからの情報信号を受信する。レイヤー２スイッチ５１０は、情報信号のユーザタグがユーザ識別子「ＵＳＥＲ＿Ｄ」を示すので、ＭＡＣヘッダを参照して、情報信号を通信回線ＬBへ送信する。
【０２９２】
次に、顧客通信装置４００Ｂの物理ポートＰ４００Ｂは、通信回線ＬBからの情報信号を受信する。次に、情報信号に付加されたユーザタグが示すユーザ識別子「ＵＳＥＲ＿Ｄ」と顧客通信装置４００Ｂに設定されたユーザ識別子とが一致するので、顧客通信装置４００Ｂは、物理ポートＰ４００Ｂに受信された情報信号からユーザタグを取り外す（図３２（Ｃ）参照）。
【０２９３】
また、情報信号の宛先アドレス「192.168.50.2」が顧客通信装置４００Ｂの通信回線用アドレスであるので、顧客通信装置４００Ｂは、物理ポートＰ４００Ｂに受信された情報信号を取得する。
【０２９４】
＜料金算出手順＞
サーバ３００は、レイヤー２スイッチ５１０によって記録されたアクセス回線トラフィック量Traffic(CPU-A)，Traffic(CPU-B)，Traffic(CPU-C)を取得し、ルータＲ１１０によって記録された外部接続通信トラフィック量Traffic(USER-A)，Traffic(USER-B)，Traffic(USER-C)を取得する。また、サーバ３００は、第１の実施形態と同様の算出処理を行い、外部接続（通信網ＬNETを利用する通信）の通信に対する通信料金と通信回線ＬA，ＬB，ＬC内の通信（通信回線ＬA，ＬB，ＬCのみを利用する通信）に対する通信料金とを別々に算出する。
【０２９５】
＜効果＞
以上のように、顧客通信装置４００Ａ，４００Ｂ，４００Ｃが通信のときに送信／受信した情報信号のトラフィック量を接続経路ごと（通信回線内通信，外部接続通信）に区別して管理することができる。
【産業上の利用可能性】
【０２９６】
以上説明したように、本発明は、複数のネットワークを介した通信が行われる通信システム等をして有用である。
【図面の簡単な説明】
【０２９７】
【図１】この発明の第１の実施形態による通信システムの構成を示す図である。
【図２】図１に示した通信システムにおける仮想ネットワークについて説明するための概念図である。
【図３Ａ】図１に示した顧客通信装置に格納されるルーティングテーブルの一例を示す図である。
【図３Ｂ】図１に示したルータに格納されるルーティングテーブルの一例を示す図である。
【図４】図１に示した顧客通信装置の送信手順を示すフローチャートである。
【図５】図１に示した顧客通信装置の受信手順を示すフローチャートである。
【図６】図１に示したルータが通信網Ａから通信網Ｂへ情報信号を中継する手順を示すフローチャートである。
【図７】図１に示したルータが通信網Ｂから通信網Ａへ情報信号を中継する手順を示すフローチャートである。
【図８】顧客通信装置から外部通信装置へ送信される情報信号の変化の過程について説明するための図である。
【図９】外部通信装置から顧客通信装置へ送信される情報信号の変化の過程について説明するための図である。
【図１０】顧客通信装置から他の顧客通信装置へ送信される情報信号の変化の過程について説明するための図である。
【図１１】サーバによる通信料金請求書の作成手順を示すフローチャートである。
【図１２】サーバによって作成された通信料金請求書の一例を示す図である。
【図１３】第２の実施形態においてルータに格納されるユーザ識別子対応テーブルの一例を示す図である。
【図１４】第２の実施形態における顧客通信装置の送信手順を示すフローチャートである。
【図１５】第２の実施形態における顧客通信装置の受信手順を示すフローチャートである。
【図１６】第２の実施形態におけるルータが通信網Ａから通信網Ｂへ情報信号を中継する手順を示すフローチャートである。
【図１７】第２の実施形態におけるルータが通信網Ｂから通信網Ａへ情報信号を中継する手順を示すフローチャートである。
【図１８】顧客通信装置から外部通信装置へ送信される情報信号の変化の過程について説明するための図である。
【図１９】外部通信装置から顧客通信装置へ送信される情報信号の変化の過程について説明するための図である。
【図２０】顧客通信装置から他の顧客通信装置へ送信される情報信号の変化の過程について説明するための図である。
【図２１】この発明の第３の実施形態による通信システムの全体構成を示す図である。
【図２２】図２１に示したルータに記録される外部接続通信トラフィック量について説明するための図である。
【図２３】図２１に示した通信システムにおける仮想ネットワークについて説明するための概念図である。
【図２４】図２１に示した顧客通信装置に格納されるルーティングテーブルの一例を示す図である。
【図２５】図２１に示したレイヤー２スイッチに格納される通信回線対応テーブルの一例を示す図である。
【図２６】図２１に示した顧客通信装置の送信手順を示すフローチャートである。
【図２７】図２１に示した顧客通信装置の受信手順を示すフローチャートである。
【図２８】図２１に示したルータが通信回線から通信網Ｂへ情報信号を中継する手順を示すフローチャートである。
【図２９】図２１に示したルータが通信網Ｂから通信回線へ情報信号を中継する手順を示すフローチャートである。
【図３０】顧客通信装置から外部通信装置へ送信される情報信号の変化の過程について説明するための図である。
【図３１】外部通信装置から顧客通信装置へ送信される情報信号の変化の過程について説明するための図である。
【図３２】顧客通信装置から他の顧客通信装置へ送信される情報信号の変化の過程について説明するための図である。
【図３３】従来の通信システムの構成を示す図である。
【符号の説明】
【０２９８】
ＬVLAN，ＬISP，ＬNET  通信網ＬISP
Ｒ１００，Ｒ２００，Ｒ１１０    ルータ
３００    サーバ
４００Ａ，４００Ｂ，４００Ｃ    顧客通信装置
５００−１，５００Ａ，５００Ｂ，５００Ｃ    収容スイッチ
６００    外部通信装置
７００Ａ，７００Ｂ，７００Ｃ    収容スイッチ
ＬA，ＬB，ＬC    通信回線
５１０    レイヤー２スイッチ
【図１】
2006311527.tif 000003
【図２】
2006311527.tif 000004
【図３Ａ】
2006311527.tif 000005
【図３Ｂ】
2006311527.tif 000006
【図４】
2006311527.tif 000007
【図５】
2006311527.tif 000008
【図６】
2006311527.tif 000009
【図７】
2006311527.tif 000010
【図８】
2006311527.tif 000011
【図９】
2006311527.tif 000012
【図１０】
2006311527.tif 000013
【図１１】
2006311527.tif 000014
【図１２】
2006311527.tif 000015
【図１３】
2006311527.tif 000016
【図１４】
2006311527.tif 000017
【図１５】
2006311527.tif 000018
【図１６】
2006311527.tif 000019
【図１７】
2006311527.tif 000020
【図１８】
2006311527.tif 000021
【図１９】
2006311527.tif 000022
【図２０】
2006311527.tif 000023
【図２１】
2006311527.tif 000024
【図２２】
2006311527.tif 000025
【図２３】
2006311527.tif 000026
【図２４】
2006311527.tif 000027
【図２５】
2006311527.tif 000028
【図２６】
2006311527.tif 000029
【図２７】
2006311527.tif 000030
【図２８】
2006311527.tif 000031
【図２９】
2006311527.tif 000032
【図３０】
2006311527.tif 000033
【図３１】
2006311527.tif 000034
【図３２】
2006311527.tif 000035
【図３３】
2006311527.tif 000036